(57)【要約】  参照信号伝送方法、並びに関連するデバイスおよびシステムが開示される。方法は、第１基地局により、ターゲット周波数帯域で少なくとも１つのターゲットサブフレームを決定する段階であり、前記ターゲット周波数帯域は、アップリンクおよびダウンリンク伝送方向が設定可能である周波数帯域であり、前記少なくとも１つのターゲットサブフレームにおける前記第１基地局および近接する第２基地局のアップリンク−ダウンリンクタイムスロット設定および／または伝送方向は異なる、段階と、前記第１基地局により、前記少なくとも１つのターゲットサブフレームで第１参照信号を第１ユーザ機器ＵＥへ送信する段階であり、前記第１ＵＥは、前記第１基地局がサービス提供するＵＥである、段階とを備える。本願発明の実施形態が実現された場合、参照信号がフレキシブルな周波数帯域で伝送され得、これにより、フレキシブル複信システムにおいて近接するセル間の参照信号同士の干渉を効果的に低減出来る。
2019524023.tif 000002
【特許請求の範囲】
【請求項１】
第１基地局により、ターゲット周波数帯域で少なくとも１つのターゲットサブフレームを決定する段階であり、前記ターゲット周波数帯域は、アップリンクおよびダウンリンク伝送方向が設定可能である周波数帯域であり、前記少なくとも１つのターゲットサブフレームにおける前記第１基地局および近接する第２基地局のアップリンク−ダウンリンクタイムスロット設定および／または伝送方向は異なる、段階と、
前記第１基地局により、前記少なくとも１つのターゲットサブフレームで第１参照信号を第１ユーザ機器ＵＥへ送信する段階であり、前記第１ＵＥは、前記第１基地局がサービス提供するＵＥである、段階と
を備える参照信号伝送方法。
【請求項２】
前記第１参照信号は、復調参照信号ＤＭＲＳと、サウンディング参照信号ＳＲＳと、第１の所定の参照信号とのうち少なくとも１つを含む、請求項１に記載の方法。
【請求項３】
前記第１基地局により、前記少なくとも１つのターゲットサブフレームで第１参照信号を第１ユーザ機器ＵＥへ送信する前記段階の前に、
前記第１基地局により、前記第２基地局が送信した第２参照信号を受信し、前記第２参照信号に基づき前記第１参照信号を設定する段階、または、
前記第１基地局により、前記第２参照信号の設定情報であり前記第２基地局が送信した設定情報を受信し、前記第２参照信号の前記設定情報に基づき前記第１参照信号を設定する段階
をさらに備え、
前記第２参照信号は、前記第２基地局がサービス提供するＵＥのために前記少なくとも１つのターゲットサブフレームで前記第２基地局が設定する参照信号である、請求項１または２に記載の方法。
【請求項４】
前記第２参照信号の前記設定情報は、前記第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む、請求項３に記載の方法。
【請求項５】
前記第１参照信号は、前記第２参照信号と直交するよう設定される、請求項３または４に記載の方法。
【請求項６】
前記第２参照信号は、アップリンクＤＭＲＳと、アップリンクＳＲＳと、第２の所定の参照信号とのうち少なくとも１つを含む、請求項３から５のいずれか一項に記載の方法。
【請求項７】
前記第１基地局により、前記第１参照信号を前記第２基地局へ送信する段階であり、これにより、前記第２基地局が、前記第１参照信号に基づき前記第２参照信号を更新する、段階、または、
前記第１基地局により、前記第１参照信号の設定情報を前記第２基地局に送信する段階であり、これにより、前記第２基地局が、前記第１参照信号の前記設定情報に基づき前記第２参照信号を更新する、段階
をさらに備える、請求項３から６のいずれか一項に記載の方法。
【請求項８】
前記第１参照信号の前記設定情報は、前記第１参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む、請求項７に記載の方法。
【請求項９】
前記第１基地局により、前記少なくとも１つのターゲットサブフレームから測定サブフレームを決定する段階であり、前記測定サブフレームは、干渉測定が前記第１ＵＥと第２ＵＥとの間で実行されるサブフレームであり、前記第２ＵＥは前記第２基地局がサービス提供するＵＥであり、前記第１ＵＥに対する干渉を引き起こすＵＥである、段階をさらに備える、請求項１から８のいずれか一項に記載の方法。
【請求項１０】
前記第１基地局により、前記第２ＵＥに関して意図された第１スケジューリング情報であり、前記第２基地局が送信した第１スケジューリング情報を受信する段階をさらに備える、請求項９に記載の方法。
【請求項１１】
前記第１基地局により、ターゲット設定情報を前記第１ＵＥへ送信する段階であり、前記ターゲット設定情報は、前記測定サブフレームおよび／または前記第１スケジューリング情報を示すのに用いられ、これにより、前記第２ＵＥが伝送した第１信号に対する測定を前記第１ＵＥが前記測定サブフレームで実行する、段階をさらに備える、請求項９または１０に記載の方法。
【請求項１２】
前記第１スケジューリング情報はアップリンクスケジューリング情報または第１の所定のスケジューリング情報である、請求項１０または１１に記載の方法。
【請求項１３】
前記第１信号は、ＤＭＲＳと、ＳＲＳと、シーケンスコードと、プリアンブルと、第３の所定の参照信号とのうち少なくとも１つを含む、請求項１１または１２に記載の方法。
【請求項１４】
前記第１基地局により、前記第１ＵＥが送信した干渉測定情報を受信する段階をさらに備える、請求項９から１３のいずれか一項に記載の方法。
【請求項１５】
前記第１基地局により、前記干渉測定情報および／または前記第１スケジューリング情報に基づき第２スケジューリング情報を決定し、前記第２スケジューリング情報を前記第１ＵＥへ送信する段階であり、これにより、前記第１ＵＥが、前記第２スケジューリング情報に基づき前記第２ＵＥからの信号干渉を除去または抑制する、段階をさらに備える、請求項１４に記載の方法。
【請求項１６】
前記第２スケジューリング情報はダウンリンクスケジューリング情報または第２の所定のスケジューリング情報である、請求項１５に記載の方法。
【請求項１７】
前記干渉測定情報は干渉行列である、請求項１４から１６のいずれか一項に記載の方法。
【請求項１８】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項１１から１７のいずれか一項に記載の方法。
【請求項１９】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項１１から１８のいずれか一項に記載の方法。
【請求項２０】
前記第１基地局により、前記少なくとも１つのターゲットサブフレームから測定サブフレームを決定する前記段階は、
前記第１基地局により、オペレーションアドミニストレーションおよびメンテナンスＯＡＭを介して前記少なくとも１つのターゲットサブフレームから前記測定サブフレームを決定する段階、
または、
前記第１基地局により、前記第２基地局とのネゴシエーションを介して前記少なくとも１つのターゲットサブフレームから前記測定サブフレームを決定する段階、
または、
前記第１基地局により、前記第２基地局が送信した前記測定サブフレームを受信する段階
を有する、請求項９から１９のいずれか一項に記載の方法。
【請求項２１】
前記第１基地局により、前記第１ＵＥの干渉除去機能を取得する段階をさらに備える、請求項１５から２０のいずれか一項に記載の方法。
【請求項２２】
前記第１基地局により、前記干渉測定情報および／または前記第１スケジューリング情報に基づき第２スケジューリング情報を決定する前記段階は、前記第１基地局により、前記干渉測定情報と、前記第１スケジューリング情報と、前記第１ＵＥの前記干渉除去機能とのうち少なくとも１つに基づき前記第２スケジューリング情報を決定する段階を有する、請求項２１に記載の方法。
【請求項２３】
第１ユーザ機器ＵＥにより、ターゲット周波数帯域で少なくとも１つのターゲットサブフレームを取得する段階であり、前記ターゲット周波数帯域は、アップリンクおよびダウンリンク伝送方向が設定可能である周波数帯域であり、前記少なくとも１つのターゲットサブフレームにおける第１基地局および近接する第２基地局のアップリンク−ダウンリンクタイムスロット設定および／または伝送方向は異なり、前記第１基地局は前記第１ＵＥが属する基地局である、段階と、
前記第１ＵＥにより、前記第１基地局が送信した第１参照信号を前記少なくとも１つのターゲットサブフレームで受信する段階と
を備える参照信号伝送方法。
【請求項２４】
前記第１参照信号は、復調参照信号ＤＭＲＳと、サウンディング参照信号ＳＲＳと、第１の所定の参照信号とのうち少なくとも１つを含む、請求項２３に記載の方法。
【請求項２５】
前記第１ＵＥにより、前記第１基地局が送信したターゲット設定情報を受信する段階であり、前記ターゲット設定情報は、測定サブフレーム、および／または第２ＵＥに関して意図された第１スケジューリング情報を示すのに用いられ、前記測定サブフレームは、干渉測定が前記第１ＵＥと前記第２ＵＥとの間で実行されるサブフレームであり、前記第２ＵＥは、前記第２基地局がサービス提供するＵＥであり、前記第１ＵＥに対する干渉を引き起こすＵＥであり、前記第１スケジューリング情報は、前記第２基地局により前記第１基地局へ送信される、段階をさらに備える、請求項２３または２４に記載の方法。
【請求項２６】
前記第１スケジューリング情報はアップリンクスケジューリング情報または第１の所定のスケジューリング情報である、請求項２５に記載の方法。
【請求項２７】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項２５または２６に記載の方法。
【請求項２８】
前記第１ＵＥにより、前記第２ＵＥが伝送した第１信号に対する測定を前記測定サブフレームで実行して測定結果を取得する段階をさらに備える、請求項２５から２７のいずれか一項に記載の方法。
【請求項２９】
前記第１信号は、ＤＭＲＳと、ＳＲＳと、シーケンスコードと、プリアンブルと、第３の所定の参照信号とのうち少なくとも１つを含む、請求項２８に記載の方法。
【請求項３０】
前記第１ＵＥにより、前記測定結果に基づき干渉測定情報を決定する段階をさらに備える、請求項２８または２９に記載の方法。
【請求項３１】
前記第１ＵＥにより、前記干渉測定情報または前記測定結果を前記第１基地局へ送信する段階をさらに備える、請求項２８から３０のいずれか一項に記載の方法。
【請求項３２】
前記干渉測定情報は干渉行列である、請求項３０または３１に記載の方法。
【請求項３３】
前記第１ＵＥにより、前記干渉測定情報および／または前記第１スケジューリング情報に基づき前記第１基地局が決定した第２スケジューリング情報を受信する段階をさらに備える、請求項３０から３２のいずれか一項に記載の方法。
【請求項３４】
前記第１ＵＥにより、前記第２スケジューリング情報に基づき前記第２ＵＥからの信号干渉を除去または抑制する段階をさらに備える、請求項３３に記載の方法。
【請求項３５】
前記第２スケジューリング情報はダウンリンクスケジューリング情報または第２の所定のスケジューリング情報である、請求項３３または３４に記載の方法。
【請求項３６】
前記第１ＵＥにより、前記第１ＵＥの干渉除去機能を前記第１基地局に送信する段階をさらに備える、請求項３３から３５のいずれか一項に記載の方法。
【請求項３７】
前記第１ＵＥにより、前記干渉測定情報および／または前記第１スケジューリング情報に基づき前記第１基地局が決定した第２スケジューリング情報を受信する前記段階は、前記第１ＵＥにより、前記干渉測定情報と、前記第１スケジューリング情報と、前記第１ＵＥの前記干渉除去機能とのうち少なくとも１つに基づき、前記第１基地局が決定した前記第２スケジューリング情報を受信する段階を有する、請求項３６に記載の方法。
【請求項３８】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項２５から３７のいずれか一項に記載の方法。
【請求項３９】
第２基地局により、ターゲット周波数帯域で少なくとも１つのターゲットサブフレームを決定する段階であり、前記ターゲット周波数帯域は、アップリンクおよびダウンリンク伝送方向が設定可能である周波数帯域であり、前記少なくとも１つのターゲットサブフレームにおける前記第２基地局および近接する第１基地局のアップリンク−ダウンリンクタイムスロット設定および／または伝送方向は異なる、段階と、
前記第２基地局により、前記第１基地局が送信した第１参照信号を受信する段階であり、前記第１参照信号は、前記第１基地局がサービス提供するＵＥのために前記少なくとも１つのターゲットサブフレームで前記第１基地局が設定する参照信号である、段階と、
前記第２基地局により、前記第１参照信号に基づき前記第２基地局の第２参照信号を設定する段階と
を備える参照信号伝送方法。
【請求項４０】
前記第１参照信号は、復調参照信号ＤＭＲＳと、サウンディング参照信号ＳＲＳと、第１の所定の参照信号とのうち少なくとも１つを含む、請求項３９に記載の方法。
【請求項４１】
前記第２参照信号は、アップリンクＤＭＲＳと、アップリンクＳＲＳと、第２の所定の参照信号とのうち少なくとも１つを含む、請求項３９または４０に記載の方法。
【請求項４２】
前記第２参照信号は、前記第１参照信号と直交するよう設定される、請求項３９から４１のいずれか一項に記載の方法。
【請求項４３】
前記第２基地局により、前記第２参照信号を前記第１基地局へ送信する段階であり、これにより、前記第１基地局は、前記第２参照信号に基づき前記第１参照信号を更新する、段階、または、
前記第２基地局により、前記第２参照信号の設定情報を前記第１基地局へ送信する段階であり、これにより、前記第１基地局は、前記第２参照信号の前記設定情報に基づき前記第１参照信号を更新する、段階、
をさらに備える、請求項３９から４２のいずれか一項に記載の方法。
【請求項４４】
前記第２参照信号の前記設定情報は、前記第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む、請求項４３に記載の方法。
【請求項４５】
前記第２基地局により、前記少なくとも１つのターゲットサブフレームから測定サブフレームを決定する段階であり、前記測定サブフレームは、干渉測定が第１ユーザ機器ＵＥと第２ＵＥとの間で実行されるサブフレームであり、前記第１ＵＥは、前記第１基地局がサービス提供するＵＥであり、前記第２ＵＥは、前記第２基地局がサービス提供するＵＥであり、前記第１ＵＥに対する干渉を引き起こすＵＥである、段階をさらに備える、請求項３９から４４のいずれか一項に記載の方法。
【請求項４６】
前記第２基地局により、ターゲット設定情報を前記第２ＵＥへ送信する段階であり、前記ターゲット設定情報は、前記測定サブフレーム、および／または前記第２ＵＥに関して意図された第１スケジューリング情報を示すのに用いられ、これにより、前記第２ＵＥは前記測定サブフレームで第１信号を送信し、前記第１信号は、前記第１ＵＥと前記第２ＵＥとの間の干渉を測定するよう前記第１ＵＥに命令するのに用いられる、段階をさらに備える、請求項４５に記載の方法。
【請求項４７】
前記第１スケジューリング情報はアップリンクスケジューリング情報または第１の所定のスケジューリング情報である、請求項４６に記載の方法。
【請求項４８】
前記第１信号は、ＤＭＲＳと、ＳＲＳと、シーケンスコードと、プリアンブルと、第３の所定の参照信号とのうち少なくとも１つを含む、請求項４６または４７に記載の方法。
【請求項４９】
前記第２基地局により、前記少なくとも１つのターゲットサブフレームから測定サブフレームを決定する前記段階は、
前記第２基地局により、オペレーションアドミニストレーションおよびメンテナンスＯＡＭを介して前記少なくとも１つのターゲットサブフレームから前記測定サブフレームを決定する段階、
または、
前記第２基地局により、前記第１基地局とのネゴシエーションを介して前記少なくとも１つのターゲットサブフレームから前記測定サブフレームを決定する段階、
または、
前記第２基地局により、前記第１基地局が送信した前記測定サブフレームを受信する段階
を有する、請求項４５から４８のいずれか一項に記載の方法。
【請求項５０】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項４６から４９のいずれか一項に記載の方法。
【請求項５１】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項４６から５０のいずれか一項に記載の方法。
【請求項５２】
前記第２基地局により、前記第１スケジューリング情報を前記第１基地局へ送信する段階であり、これにより、前記第１基地局は、前記第１スケジューリング情報に基づき、前記第１ＵＥに関して意図された第２スケジューリング情報を決定し、前記第２スケジューリング情報は、前記第２ＵＥからの信号干渉を除去または抑制するよう前記第１ＵＥに命令するのに用いられる、段階をさらに備える、請求項４６から５１のいずれか一項に記載の方法。
【請求項５３】
前記第２スケジューリング情報はダウンリンクスケジューリング情報または第２の所定のスケジューリング情報である、請求項５２に記載の方法。
【請求項５４】
第２ユーザ機器ＵＥにより、第２基地局が送信したターゲット設定情報を受信する段階であり、前記ターゲット設定情報は、測定サブフレーム、および／または前記第２ＵＥの第１スケジューリング情報を示すのに用いられ、前記測定サブフレームは、干渉測定が第１ＵＥと前記第２ＵＥとの間で実行されるサブフレームであり、前記第２基地局は、前記第２ＵＥが属する基地局であり、前記第１ＵＥは、前記第２基地局に隣接する第１基地局がサービス提供するＵＥであり、前記第２ＵＥが干渉するＵＥである、段階を備える、参照信号伝送方法。
【請求項５５】
前記第２ＵＥにより、前記第１スケジューリング情報に基づき前記測定サブフレームで第１信号を送信する段階であり、前記第１信号は、前記第１ＵＥと前記第２ＵＥとの間の干渉を測定するよう前記第１ＵＥに命令するのに用いられる、段階をさらに備える、請求項５４に記載の方法。
【請求項５６】
前記第１スケジューリング情報はアップリンクスケジューリング情報または第１の所定のスケジューリング情報である、請求項５４または５５に記載の方法。
【請求項５７】
前記第１信号は、復調参照信号ＤＭＲＳと、復調参照信号ＳＲＳと、シーケンスコードと、プリアンブルと、第３の所定の参照信号とのうち少なくとも１つを含む、請求項５５または５６に記載の方法。
【請求項５８】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項５４から５７のいずれか一項に記載の方法。
【請求項５９】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項５４から５８のいずれか一項に記載の方法。
【請求項６０】
基地局であって
ターゲット周波数帯域で少なくとも１つのターゲットサブフレームを決定するよう構成される決定ユニットであり、前記ターゲット周波数帯域は、アップリンクおよびダウンリンク伝送方向が設定可能である周波数帯域であり、前記少なくとも１つのターゲットサブフレームにおける前記基地局および近接する第２基地局のアップリンク−ダウンリンクタイムスロット設定および／または伝送方向は異なる、決定ユニットと、
前記少なくとも１つのターゲットサブフレームで第１参照信号を第１ユーザ機器ＵＥへ送信するよう構成される送信ユニットであり、前記第１ＵＥは、前記基地局がサービス提供するＵＥである、送信ユニットと
を備える基地局。
【請求項６１】
前記第１参照信号は、復調参照信号ＤＭＲＳと、サウンディング参照信号ＳＲＳと、第１の所定の参照信号とのうち少なくとも１つを含む、請求項６０に記載の基地局。
【請求項６２】
前記送信ユニットが前記少なくとも１つのターゲットサブフレームで前記第１参照信号を前記第１ユーザ機器ＵＥへ送信する前に、前記第２基地局が送信した第２参照信号を受信するよう、および前記第２参照信号に基づき前記第１参照信号を設定するよう構成される、または前記第２参照信号の設定情報であり、前記第２基地局が送信した設定情報を受信するよう、および前記第２参照信号の前記設定情報に基づき前記第１参照信号を設定するよう構成される受信ユニットをさらに備え、
前記第２参照信号は、前記第２基地局がサービス提供するＵＥのために前記少なくとも１つのターゲットサブフレームで前記第２基地局が設定する参照信号である、請求項６０または６１に記載の基地局。
【請求項６３】
前記第２参照信号の前記設定情報は、前記第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む、請求項６２に記載の基地局。
【請求項６４】
前記第１参照信号は、前記第２参照信号と直交するよう設定される、請求項６２または６３に記載の基地局。
【請求項６５】
前記第２参照信号は、アップリンクＤＭＲＳと、アップリンクＳＲＳと、第２の所定の参照信号とのうち少なくとも１つを含む、請求項６２から６４のいずれか一項に記載の基地局。
【請求項６６】
前記送信ユニットはさらに、前記第１参照信号を前記第２基地局へ送信することであり、これにより、前記第２基地局が、前記第１参照信号に基づき前記第２参照信号を更新する、ことを行うよう構成され、または、前記第１参照信号の設定情報を前記第２基地局に送信することであり、これにより、前記第２基地局が、前記第１参照信号の前記設定情報に基づき前記第２参照信号を更新する、ことを行うよう構成される、請求項６２から６５のいずれか一項に記載の基地局。
【請求項６７】
前記第１参照信号の前記設定情報は、前記第１参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む、請求項６６に記載の方法。
【請求項６８】
前記決定ユニットはさらに、前記少なくとも１つのターゲットサブフレームから測定サブフレームを決定することであり、前記測定サブフレームは、干渉測定が前記第１ＵＥと第２ＵＥとの間で実行されるサブフレームであり、前記第２ＵＥは前記第２基地局がサービス提供するＵＥであり、前記第１ＵＥに対する干渉を引き起こすＵＥである、ことを行うよう構成される、請求項６０から６７のいずれか一項に記載の基地局。
【請求項６９】
前記受信ユニットはさらに、前記第２ＵＥに関して意図された第１スケジューリング情報であり、前記第２基地局が送信した第１スケジューリング情報を受信するよう構成される、請求項６８に記載の基地局。
【請求項７０】
前記送信ユニットはさらに、ターゲット設定情報を前記第１ＵＥへ送信することであり、前記ターゲット設定情報は、前記測定サブフレームおよび／または前記第１スケジューリング情報を示すのに用いられ、これにより、前記第２ＵＥが伝送した第１信号に対する測定を前記第１ＵＥが前記測定サブフレームで実行する、ことを行うよう構成される、請求項６８または６９に記載の基地局。
【請求項７１】
前記第１スケジューリング情報はアップリンクスケジューリング情報または第１の所定のスケジューリング情報である、請求項６９または７０に記載の基地局。
【請求項７２】
前記第１信号は、ＤＭＲＳと、ＳＲＳと、シーケンスコードと、プリアンブルと、第３の所定の参照信号とのうち少なくとも１つを含む、請求項７０または７１に記載の基地局。
【請求項７３】
前記受信ユニットはさらに、前記第１ＵＥが送信した干渉測定情報を受信するよう構成される、請求項６８から７２に記載の基地局。
【請求項７４】
前記決定ユニットはさらに、前記干渉測定情報および／または前記第１スケジューリング情報に基づき第２スケジューリング情報を決定すること、および前記第２スケジューリング情報を前記第１ＵＥへ送信することであり、これにより、前記前記第１ＵＥが、前記第２スケジューリング情報に基づき前記第２ＵＥからの信号干渉を除去または抑制する、ことを行うよう構成される、請求項７３に記載の基地局。
【請求項７５】
前記第２スケジューリング情報はダウンリンクスケジューリング情報または第２の所定のスケジューリング情報である、請求項７４に記載の基地局。
【請求項７６】
前記干渉測定情報は干渉行列である、請求項７３から７５のいずれか一項に記載の基地局。
【請求項７７】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項７０から７６のいずれか一項に記載の基地局。
【請求項７８】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項７０から７７のいずれか一項に記載の基地局。
【請求項７９】
前記決定ユニットが、前記少なくとも１つのターゲットサブフレームから前記測定サブフレームを決定する方式は具体的には、
前記決定ユニットが、オペレーションアドミニストレーションおよびメンテナンスＯＡＭを介して前記少なくとも１つのターゲットサブフレームから前記測定サブフレームを決定する方式、
または、
前記決定ユニットが、前記第２基地局とのネゴシエーションを介して前記少なくとも１つのターゲットサブフレームから前記測定サブフレームを決定する方式、
または、
前記第２基地局が送信した前記測定サブフレームを前記決定ユニットが受信する方式
である、請求項６８から７８のいずれか一項に記載の基地局。
【請求項８０】
前記第１ＵＥの干渉除去機能を取得するよう構成される取得ユニットをさらに備える、請求項７４から７９のいずれか一項に記載の基地局。
【請求項８１】
前記決定ユニットが、前記干渉測定情報および／または前記第１スケジューリング情報に基づき前記第２スケジューリング情報を決定する方式は具体的には、前記決定ユニットが、前記干渉測定情報と、前記第１スケジューリング情報と、前記第１ＵＥの前記干渉除去機能とのうち少なくとも１つに基づき前記第２スケジューリング情報を決定する方式である、請求項８０に記載の基地局。
【請求項８２】
ユーザ機器ＵＥであり、
ターゲット周波数帯域で少なくとも１つのターゲットサブフレームを取得するよう構成される取得ユニットであり、前記ターゲット周波数帯域は、アップリンクおよびダウンリンク伝送方向が設定可能である周波数帯域であり、前記少なくとも１つのターゲットサブフレームにおける第１基地局および近接する第２基地局のアップリンク−ダウンリンクタイムスロット設定および／または伝送方向は異なり、前記第１基地局は前記ＵＥが属する基地局である、取得ユニットと、
前記第１基地局が送信した第１参照信号を前記少なくとも１つのターゲットサブフレームで受信するよう構成される受信ユニットと
を備えるＵＥ。
【請求項８３】
前記第１参照信号は、復調参照信号ＤＭＲＳと、サウンディング参照信号ＳＲＳと、第１の所定の参照信号とのうち少なくとも１つを含む、請求項８２に記載のＵＥ。
【請求項８４】
前記受信ユニットはさらに、前記第１基地局が送信したターゲット設定情報を受信することであり、前記ターゲット設定情報は、測定サブフレーム、および／または第２ＵＥに関して意図された第１スケジューリング情報を示すのに用いられ、前記測定サブフレームは、干渉測定が前記ＵＥと前記第２ＵＥとの間で実行されるサブフレームであり、前記第２ＵＥは、前記第２基地局がサービス提供するＵＥであり、前記ＵＥに対する干渉を引き起こすＵＥであり、前記第１スケジューリング情報は、前記第２基地局により前記第１基地局へ送信される、ことを行うよう構成される、請求項８２または８３に記載のＵＥ。
【請求項８５】
前記第１スケジューリング情報はアップリンクスケジューリング情報または第１の所定のスケジューリング情報である、請求項８４に記載のＵＥ。
【請求項８６】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項８４または８５に記載のＵＥ。
【請求項８７】
前記第２ＵＥが伝送した第１信号に対する測定を前記測定サブフレームで実行して測定結果を取得するよう構成される測定ユニットをさらに備える、請求項８４から８６のいずれか一項に記載のＵＥ。
【請求項８８】
前記第１信号は、ＤＭＲＳと、ＳＲＳと、シーケンスコードと、プリアンブルと、第３の所定の参照信号とのうち少なくとも１つを含む、請求項８７に記載のＵＥ。
【請求項８９】
前記測定結果に基づき干渉測定情報を決定するよう構成される決定ユニットをさらに備える、請求項８７または８８に記載のＵＥ。
【請求項９０】
前記干渉測定情報または前記測定結果を前記第１基地局へ送信するよう構成される送信ユニットをさらに備える、請求項８７から８９のいずれか一項に記載のＵＥ。
【請求項９１】
前記干渉測定情報は干渉行列である、請求項８９または９０に記載のＵＥ。
【請求項９２】
前記受信ユニットはさらに、前記干渉測定情報および／または前記第１スケジューリング情報に基づき前記第１基地局が決定した第２スケジューリング情報を受信するよう構成される、請求項８９から９１のいずれか一項に記載のＵＥ。
【請求項９３】
前記第２スケジューリング情報に基づき前記第２ＵＥからの信号干渉を除去または抑制するよう構成される干渉抑制ユニットをさらに備える、請求項９２に記載のＵＥ。
【請求項９４】
前記第２スケジューリング情報はダウンリンクスケジューリング情報または第２の所定のスケジューリング情報である、請求項９２または９３に記載のＵＥ。
【請求項９５】
前記送信ユニットはさらに、前記ＵＥの干渉除去機能を前記第１基地局へ送信するよう構成される、請求項９２から９４のいずれか一項に記載のＵＥ。
【請求項９６】
前記干渉測定情報および／または前記第１スケジューリング情報に基づき前記第１基地局が決定した前記第２スケジューリング情報を前記受信ユニットが受信する方式は具体的には、前記干渉測定情報と、前記第１スケジューリング情報と、前記第１ＵＥの前記干渉除去機能とのうち少なくとも１つに基づき、前記第１基地局が決定した前記第２スケジューリング情報を前記受信ユニットが受信する方式である、請求項９５に記載のＵＥ。
【請求項９７】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項８４から９６のいずれか一項に記載のＵＥ。
【請求項９８】
基地局であり、
ターゲット周波数帯域で少なくとも１つのターゲットサブフレームを決定するよう構成される決定ユニットであり、前記ターゲット周波数帯域は、アップリンクおよびダウンリンク伝送方向が設定可能である周波数帯域であり、前記少なくとも１つのターゲットサブフレームにおける前記基地局および近接する第１基地局のアップリンク−ダウンリンクタイムスロット設定および／または伝送方向は異なる、決定ユニットと、
前記第１基地局が送信した第１参照信号を受信するよう構成される受信ユニットであり、前記第１参照信号は、前記第１基地局がサービス提供するＵＥのために前記少なくとも１つのターゲットサブフレームで前記第１基地局が設定する参照信号である、受信ユニットと、
前記第１参照信号に基づき前記基地局の第２参照信号を設定するよう構成される設定ユニットと
を備える基地局。
【請求項９９】
前記第１参照信号は、復調参照信号ＤＭＲＳと、サウンディング参照信号ＳＲＳと、第１の所定の参照信号とのうち少なくとも１つを含む、請求項９８に記載の基地局。
【請求項１００】
前記第２参照信号は、アップリンクＤＭＲＳと、アップリンクＳＲＳと、第２の所定の参照信号とのうち少なくとも１つを含む、請求項９８または９９に記載の基地局。
【請求項１０１】
前記第２参照信号は、前記第１参照信号と直交するよう設定される、請求項９８から１００のいずれか一項に記載の基地局。
【請求項１０２】
前記第２参照信号を前記第１基地局へ送信することであり、これにより、前記第１基地局は、前記第２参照信号に基づき前記第１参照信号を更新する、こと、
または、
前記第２参照信号の設定情報を前記第１基地局へ送信することであり、これにより、前記第１基地局は、前記第２参照信号の前記設定情報に基づき前記第１参照信号を更新する、こと
を行うよう構成される送信ユニットをさらに備える、請求項９８から１０１のいずれか一項に記載の基地局。
【請求項１０３】
前記第２参照信号の前記設定情報は、前記第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む、請求項１０２に記載の基地局。
【請求項１０４】
前記決定ユニットはさらに、前記少なくとも１つのターゲットサブフレームから測定サブフレームを決定することであり、前記測定サブフレームは、干渉測定が第１ユーザ機器ＵＥと第２ＵＥとの間で実行されるサブフレームであり、前記第１ＵＥは前記第１基地局がサービス提供するＵＥであり、前記第２ＵＥは前記基地局がサービス提供するＵＥであり、前記第１ＵＥに対する干渉を引き起こすＵＥである、ことを行うよう構成される、請求項９８から１０３のいずれか一項に記載の基地局。
【請求項１０５】
前記送信ユニットはさらに、ターゲット設定情報を前記第２ＵＥへ送信することであり、前記ターゲット設定情報は、前記測定サブフレーム、および／または前記第２ＵＥに関して意図された第１スケジューリング情報を示すのに用いられ、これにより、前記第２ＵＥは前記測定サブフレームで第１信号を送信し、前記第１信号は、前記第１ＵＥと前記第２ＵＥとの間の干渉を測定するよう前記第１ＵＥに命令するのに用いられる、ことを行うよう構成される、請求項１０４に記載の基地局。
【請求項１０６】
前記第１スケジューリング情報はアップリンクスケジューリング情報または第１の所定のスケジューリング情報である、請求項１０５に記載の基地局。
【請求項１０７】
前記第１信号は、ＤＭＲＳと、ＳＲＳと、シーケンスコードと、プリアンブルと、第３の所定の参照信号とのうち少なくとも１つを含む、請求項１０５または１０６に記載の基地局。
【請求項１０８】
前記決定ユニットが前記少なくとも１つのターゲットサブフレームから前記測定サブフレームを決定する方式は具体的には、
前記決定ユニットがオペレーションアドミニストレーションおよびメンテナンスＯＡＭを介して前記少なくとも１つのターゲットサブフレームから前記測定サブフレームを決定する方式、
または、
前記決定ユニットが、前記第１基地局とのネゴシエーションを介して前記少なくとも１つのターゲットサブフレームから前記測定サブフレームを決定する方式、
または、
前記第１基地局が送信した前記測定サブフレームを前記決定ユニットが受信する方式
である、請求項１０４から１０７のいずれか一項に記載の基地局。
【請求項１０９】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項１０５から１０８のいずれか一項に記載の基地局。
【請求項１１０】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項１０５から１０９のいずれか一項に記載の基地局。
【請求項１１１】
前記送信ユニットはさらに、前記第１スケジューリング情報を前記第１基地局へ送信することであり、これにより、前記第１基地局は、前記第１スケジューリング情報に基づき、前記第１ＵＥに関して意図された第２スケジューリング情報を決定し、前記第２スケジューリング情報は、前記第２ＵＥからの信号干渉を除去または抑制するよう前記第１ＵＥに命令するのに用いられる、ことを行うよう構成される、請求項１０５から１１０のいずれか一項に記載の基地局。
【請求項１１２】
前記第２スケジューリング情報はダウンリンクスケジューリング情報または第２の所定のスケジューリング情報である、請求項１１１に記載の基地局。
【請求項１１３】
ユーザ機器ＵＥであり、
第２基地局が送信したターゲット設定情報を受信することであり、前記ターゲット設定情報は、測定サブフレーム、および／または前記ＵＥの第１スケジューリング情報を示すのに用いられ、前記測定サブフレームは、干渉測定が第１ＵＥと前記ＵＥとの間で実行されるサブフレームであり、前記第２基地局は、前記ＵＥが属する基地局であり、前記第１ＵＥは、前記第２基地局に隣接する第１基地局がサービス提供するＵＥであり、前記ＵＥが干渉するＵＥである、ことを行うよう構成される受信ユニットを備える、ＵＥ。
【請求項１１４】
前記第１スケジューリング情報に基づき前記測定サブフレームで第１信号を送信することであり、前記第１信号は、前記第１ＵＥと前記ＵＥとの間の干渉を測定するよう前記第１ＵＥに命令するのに用いられる、ことを行うよう構成される送信ユニットをさらに備える、請求項１１３に記載のＵＥ。
【請求項１１５】
前記第１スケジューリング情報はアップリンクスケジューリング情報または第１の所定のスケジューリング情報である、請求項１１３または１１４に記載のＵＥ。
【請求項１１６】
前記第１信号は、復調参照信号ＤＭＲＳと、復調参照信号ＳＲＳと、シーケンスコードと、プリアンブルと、第３の所定の参照信号とのうち少なくとも１つを含む、請求項１１４または１１５に記載のＵＥ。
【請求項１１７】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項１１３から１１６のいずれか一項に記載のＵＥ。
【請求項１１８】
前記ターゲット設定情報はシグナリングを用いて送信され、前記シグナリングは、無線リソース制御ＲＲＣシグナリングと、メディアアクセス制御ＭＡＣシグナリングと、物理層シグナリングとのうち１つを含む、請求項１１３から１１７のいずれか一項に記載のＵＥ。
【請求項１１９】
プロセッサと、入力装置と、出力装置と、メモリとを備え、
前記メモリは、プログラムおよびデータを格納するよう構成され、前記プロセッサは、前記メモリに格納された前記プログラムを呼び出して請求項１から２２のいずれか一項に記載の方法を実行するよう構成される、基地局。
【請求項１２０】
プロセッサと、入力装置と、出力装置と、メモリとを備え、
前記メモリは、プログラムおよびデータを格納するよう構成され、前記プロセッサは、前記メモリに格納された前記プログラムを呼び出して請求項２３から３８のいずれか一項に記載の方法を実行するよう構成される、ユーザ機器ＵＥ。
【請求項１２１】
プロセッサと、入力装置と、出力装置と、メモリとを備え、
前記メモリは、プログラムおよびデータを格納するよう構成され、前記プロセッサは、前記メモリに格納された前記プログラムを呼び出して請求項３９から５３のいずれか一項に記載の方法を実行するよう構成される、基地局。
【請求項１２２】
プロセッサと、入力装置と、出力装置と、メモリとを備え、
前記メモリは、プログラムおよびデータを格納するよう構成され、前記プロセッサは、前記メモリに格納された前記プログラムを呼び出して請求項５４から５９のいずれか一項に記載の方法を実行するよう構成される、ユーザ機器ＵＥ。
【請求項１２３】
請求項６０から８１のいずれか一項に記載の基地局と、請求項８２から９７のいずれか一項に記載のＵＥと、請求項９８から１１２のいずれか一項に記載の基地局と、請求項１１３から１１８のいずれか一項に記載のＵＥとを備える参照信号伝送システム。
【発明の詳細な説明】
【技術分野】
【０００１】
本願発明は通信技術のフィールドに関し、特に参照信号伝送方法、並びに関連するデバイスおよびシステムに関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ，第３世代パートナーシッププロジェクト）により開発されている規格のうち、ＬＴＥ（Ｌｏｎｇ  Ｔｅｒｍ  Ｅｖｏｌｕｔｉｏｎ，ロングタームエボリューション）は２つの方式をサポート出来る。それら方式は、ＦＤＤ（Ｆｒｅｑｕｅｎｃｙ  Ｄｉｖｉｓｉｏｎ  Ｄｕｐｌｅｘ，周波数分割複信）およびＴＤＤ（Ｔｉｍｅ  Ｄｉｖｉｓｉｏｎ  Ｄｕｐｌｅｘ，時分割複信）である。ＦＤＤシステムにおいて、ＵＥ（Ｕｓｅｒ  Ｅｑｕｉｐｍｅｎｔ，ユーザ機器）が２つの対称的なスペクトルリソースで信号を送信および受信する。この方式は、音声サービス通信に適用可能である。しかしながら、アップリンクおよびダウンリンク要求条件が非対称性および時変性などの特性を求めるモバイルデータサービスに関しては、ＦＤＤ方式はそれら要求条件を満たせないかもしれない。ＴＤＤシステムにおいて、ＵＥは、同じスペクトルリソース上の異なるタイムスロットで信号を送信および受信する。この方式において、アップリンク−ダウンリンクタイムスロット設定が、ネットワークのトラフィックボリュームの変化に基づき調整されてよいが、基地局とＵＥとの間のアップリンク／ダウンリンクハンドオーバーに関して厳密な時間の同期が確保される必要がある。アップリンクおよびダウンリンクトラフィックボリュームの要求条件は経時的に変化するだけでなくエリアによっても変化する。その結果、ＴＤＤ方式も、無線ネットワークの変化性の要求条件を満たせない。先述の課題に対処すべく、３ＧＰＰはフレキシブル複信技術を導入する。ダウンリンクトラフィックボリュームがアップリンクトラフィックボリュームより大きい場合、アップリンク周波数帯域をダウンリンク周波数帯域へと転換し、アップリンクおよびダウンリンクトラフィックボリュームの変化に対しより良好に適応出来る。
【０００３】
既存のＬＴＥシステムにおいて、セル間の干渉を回避すべく、アップリンク復調参照信号（Ｄｅｍｏｄｕｌａｔｉｏｎ  Ｒｅｆｅｒｅｎｃｅ  Ｓｉｇｎａｌ，ＤＭＲＳ）の設計に関し、システム内の全てのＤＭＲＳで配置が同じであり、各タイムスロット内の４番目のシンボルに配置され、これにより、セル間のユーザは、異なる周波数ホッピングパターンおよびシーケンスシフトを設定することにより干渉を低減してよい。ダウンリンク参照信号の設計に関し、均等な分散の原理に従い、これにより、セル間のユーザは、物理層セルアイデンティティに基づきシフトを実行することにより干渉を低減してよい。しかしながら、ＬＴＥシステムがフレキシブル複信方式で伝送を実行する場合、近接するセルが異なる伝送を実行するので（例えば、セル１がアップリンク伝送を実行し、他方、セル２がダウンリンク伝送を実行するので）、前述の参照信号設計方法が依然として用いられた場合、それらセル間のアップリンクおよびダウンリンク参照信号が大きく干渉を受ける。したがって、フレキシブル複信システムにおいて近接するセル間の参照信号同士の干渉を低減すべくどのように参照信号を伝送するかは、現在解決されるべき差し迫った課題である。
【発明の概要】
【０００４】
本願発明の実施形態は、フレキシブル複信システムにおいて近接するセル間の参照信号同士の干渉を低減すべくどのように参照信号を伝送するかという課題を解決するよう、参照信号伝送方法、並びに関連するデバイスおよびシステムを開示する。
【０００５】
本願発明の実施形態の第１態様は、
第１基地局により、ターゲット周波数帯域で少なくとも１つのターゲットサブフレームを決定する段階であり、ターゲット周波数帯域は、アップリンクおよびダウンリンク伝送方向が設定可能である周波数帯域であり、少なくとも１つのターゲットサブフレームにおける第１基地局および近接する第２基地局のアップリンク−ダウンリンクタイムスロット設定および／または伝送方向は異なる、段階と、
第１基地局により、少なくとも１つのターゲットサブフレームで第１参照信号を第１ユーザ機器ＵＥへ送信する段階であり、第１ＵＥは第１基地局の下にあるＵＥである、段階と
を備える参照信号伝送方法を開示する。
【０００６】
実施例において、
第１参照信号は、復調参照信号ＤＭＲＳと、サウンディング参照信号ＳＲＳと、第１の所定の参照信号とのうち少なくとも１つを含む。
【０００７】
実施例において、
第１基地局により、少なくとも１つのターゲットサブフレームで第１参照信号を第１ユーザ機器ＵＥへ送信する段階の前に、方法は、
第１基地局により、第２基地局が送信した第２参照信号を受信し、第２参照信号に基づき第１参照信号を設定する段階、または、
第１基地局により、第２参照信号の設定情報であり第２基地局が送信した設定情報を受信し、第２参照信号の設定情報に基づき第１参照信号を設定する段階
をさらに備え、
第２参照信号は、第２基地局の下にあるＵＥのために少なくとも１つのターゲットサブフレームで第２基地局が設定する参照信号である。
【０００８】
実施例において、
第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む。
【０００９】
実施例において、
第１参照信号は、第２参照信号と直交するよう設定される。
【００１０】
実施例において、
第２参照信号は、アップリンクＤＭＲＳと、アップリンクＳＲＳと、第２の所定の参照信号とのうち少なくとも１つを含む。
【００１１】
実施例において、
方法は、第１基地局により、第１参照信号を第２基地局へ送信する段階であり、これにより、第２基地局が、第１参照信号に基づき第２参照信号を更新する、段階、または、
第１基地局により、第１参照信号の設定情報を第２基地局に送信する段階であり、これにより、第２基地局が、第１参照信号の設定情報に基づき第２参照信号を更新する、段階
をさらに備える。
【００１２】
実施例において、
第１参照信号の設定情報は、第１参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む。
【００１３】
実施例において、
方法は、第１基地局により、少なくとも１つのターゲットサブフレームから測定サブフレームを決定する段階であり、測定サブフレームは、干渉測定が第１ＵＥと第２ＵＥとの間で実行されるサブフレームであり、第２ＵＥは第２基地局の下にあるＵＥであり、第１ＵＥに対する干渉を引き起こすＵＥである、段階をさらに備える。
【００１４】
実施例において、
方法は、第１基地局により、第２ＵＥに関して意図された第１スケジューリング情報であり、第２基地局が送信した第１スケジューリング情報を受信する段階をさらに備える。
【００１５】
実施例において、
方法は、第１基地局により、ターゲット設定情報を第１ＵＥへ送信する段階であり、ターゲット設定情報は、測定サブフレームおよび／または第１スケジューリング情報を示すのに用いられ、これにより、第２ＵＥが伝送した第１信号に対する測定を第１ＵＥが測定サブフレームで実行する、段階をさらに備える。
【００１６】
実施例において、
第１スケジューリング情報はアップリンクスケジューリング情報または第１の所定のスケジューリング情報である。
【００１７】
実施例において、
第１信号は、ＤＭＲＳと、ＳＲＳと、シーケンスコードと、プリアンブルと、第３の所定の参照信号とのうち少なくとも１つを含む。
【００１８】
実施例において、
方法は、第１基地局により、第１ＵＥが送信した干渉測定情報を受信する段階をさらに備える。
【００１９】
実施例において、
方法は、第１基地局により、干渉測定情報および／または第１スケジューリング情報に基づき第２スケジューリング情報を決定し、第２スケジューリング情報を第１ＵＥへ送信する段階であり、これにより、第１ＵＥが、第２スケジューリング情報に基づき第２ＵＥからの信号干渉を除去または抑制する、段階をさらに備える。
【００２０】
実施例において、
第２スケジューリング情報はダウンリンクスケジューリング情報または第２の所定のスケジューリング情報である。
【００２１】
実施例において、
干渉測定情報は干渉行列である。
【００２２】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【００２３】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【００２４】
実施例において、
第１基地局により、少なくとも１つのターゲットサブフレームから測定サブフレームを決定する段階は、
第１基地局により、オペレーションアドミニストレーションおよびメンテナンスＯＡＭを介して少なくとも１つのターゲットサブフレームから測定サブフレームを決定する段階、
または、
第１基地局により、第２基地局とのネゴシエーションを介して少なくとも１つのターゲットサブフレームから測定サブフレームを決定する段階、
または、
第１基地局により、第２基地局が送信した測定サブフレームを受信する段階
を有する。
【００２５】
実施例において、
方法は、第１基地局により、第１ＵＥの干渉除去機能を取得する段階をさらに備える。
【００２６】
実施例において、
第１基地局により、干渉測定情報および／または第１スケジューリング情報に基づき第２スケジューリング情報を決定する段階は、第１基地局により、干渉測定情報と、第１スケジューリング情報と、第１ＵＥの干渉除去機能とのうち少なくとも１つに基づき第２スケジューリング情報を決定する段階を有する。
【００２７】
本願発明の実施形態の第２態様は、
第１ユーザ機器ＵＥにより、ターゲット周波数帯域で少なくとも１つのターゲットサブフレームを取得する段階であり、ターゲット周波数帯域は、アップリンクおよびダウンリンク伝送方向が設定可能である周波数帯域であり、少なくとも１つのターゲットサブフレームにおける第１基地局および近接する第２基地局のアップリンク−ダウンリンクタイムスロット設定および／または伝送方向は異なり、第１基地局は第１ＵＥが属する基地局である、段階と、
第１ＵＥにより、第１基地局が送信した第１参照信号を少なくとも１つのターゲットサブフレームで受信する段階と
を備える参照信号伝送方法を開示する。
【００２８】
実施例において、
第１参照信号は、復調参照信号ＤＭＲＳと、サウンディング参照信号ＳＲＳと、第１の所定の参照信号とのうち少なくとも１つを含む。
【００２９】
実施例において、
方法は、第１ＵＥにより、第１基地局が送信したターゲット設定情報を受信する段階であり、ターゲット設定情報は、測定サブフレーム、および／または第２ＵＥに関して意図された第１スケジューリング情報を示すのに用いられ、測定サブフレームは、干渉測定が第１ＵＥと第２ＵＥとの間で実行されるサブフレームであり、第２ＵＥは、第２基地局の下にあるＵＥであり、第１ＵＥに対する干渉を引き起こすＵＥであり、第１スケジューリング情報は、第２基地局により第１基地局へ送信される、段階をさらに備える。
【００３０】
実施例において、
第１スケジューリング情報はアップリンクスケジューリング情報または第１の所定のスケジューリング情報である。
【００３１】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【００３２】
実施例において、
方法は、第１ＵＥにより、第２ＵＥが伝送した第１信号に対する測定を測定サブフレームで実行して測定結果を取得する段階をさらに備える。
【００３３】
実施例において、
第１信号は、ＤＭＲＳと、ＳＲＳと、シーケンスコードと、プリアンブルと、第３の所定の参照信号とのうち少なくとも１つを含む。
【００３４】
実施例において、
方法は、第１ＵＥにより、測定結果に基づき干渉測定情報を決定する段階をさらに備える。
【００３５】
実施例において、
方法は、第１ＵＥにより、測定結果を第１基地局へ直接的に送信する段階をさらに備える。
【００３６】
実施例において、
方法は、第１ＵＥにより、干渉測定情報を第１基地局へ送信する段階をさらに備える。
【００３７】
実施例において、
干渉測定情報は干渉行列である。
【００３８】
実施例において、
方法は、第１ＵＥにより、干渉測定情報および／または第１スケジューリング情報に基づき第１基地局が決定した第２スケジューリング情報を受信する段階をさらに備える。
【００３９】
実施例において、
方法は、第１ＵＥにより、第２スケジューリング情報に基づき第２ＵＥからの信号干渉を除去または抑制する段階をさらに備える。
【００４０】
実施例において、
第２スケジューリング情報はダウンリンクスケジューリング情報または第２の所定のスケジューリング情報である。
【００４１】
実施例において、
方法は、第１ＵＥにより、第１ＵＥの干渉除去機能を第１基地局に送信する段階をさらに備える。
【００４２】
実施例において、
第１ＵＥにより、干渉測定情報および／または第１スケジューリング情報に基づき第１基地局が決定した第２スケジューリング情報を受信する段階は、第１ＵＥにより、干渉測定情報と、第１スケジューリング情報と、第１ＵＥの干渉除去機能とのうち少なくとも１つに基づき、第１基地局が決定した第２スケジューリング情報を受信する段階を有する。
【００４３】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【００４４】
本願発明の実施形態の第３態様は、
第２基地局により、ターゲット周波数帯域で少なくとも１つのターゲットサブフレームを決定する段階であり、ターゲット周波数帯域は、アップリンクおよびダウンリンク伝送方向が設定可能である周波数帯域であり、少なくとも１つのターゲットサブフレームにおける第２基地局および近接する第１基地局のアップリンク−ダウンリンクタイムスロット設定および／または伝送方向は異なる、段階と、
第２基地局により、第１基地局が送信した第１参照信号を受信する段階であり、第１参照信号は、第１基地局の下にあるＵＥのために少なくとも１つのターゲットサブフレームで第１基地局が設定する参照信号である、段階と、
第２基地局により、第１参照信号に基づき第２基地局の第２参照信号を設定する段階と
を備える参照信号伝送方法を開示する。
【００４５】
実施例において、
第１参照信号は、復調参照信号ＤＭＲＳと、サウンディング参照信号ＳＲＳと、第１の所定の参照信号とのうち少なくとも１つを含む。
【００４６】
実施例において、
第２参照信号は、アップリンクＤＭＲＳと、アップリンクＳＲＳと、第２の所定の参照信号とのうち少なくとも１つを含む。
【００４７】
実施例において、
第２参照信号は、第１参照信号と直交するよう設定される。
【００４８】
実施例において、
方法は、第２基地局により、第２参照信号を第１基地局へ送信する段階であり、これにより、第１基地局は、第２参照信号に基づき第１参照信号を更新する、段階、または、
第２基地局により、第２参照信号の設定情報を第１基地局へ送信する段階であり、これにより、第１基地局は、第２参照信号の設定情報に基づき第１参照信号を更新する、段階、
をさらに備える。
【００４９】
実施例において、
第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む。
【００５０】
実施例において、
方法は、第２基地局により、少なくとも１つのターゲットサブフレームから測定サブフレームを決定する段階であり、測定サブフレームは、干渉測定が第１ユーザ機器ＵＥと第２ＵＥとの間で実行されるサブフレームであり、第１ＵＥは、第１基地局の下にあるＵＥであり、第２ＵＥは、第２基地局の下にあるＵＥであり、第１ＵＥに対する干渉を引き起こすＵＥである、段階をさらに備える。
【００５１】
実施例において、
方法は、第２基地局により、ターゲット設定情報を第２ＵＥへ送信する段階であり、ターゲット設定情報は、測定サブフレーム、および／または第２ＵＥに関して意図された第１スケジューリング情報を示すのに用いられ、これにより、第２ＵＥは測定サブフレームで第１信号を送信し、第１信号は、第１ＵＥと第２ＵＥとの間の干渉を測定するよう第１ＵＥに命令するのに用いられる、段階をさらに備える。
【００５２】
実施例において、
第１スケジューリング情報はアップリンクスケジューリング情報または第１の所定のスケジューリング情報である。
【００５３】
実施例において、
第１信号は、ＤＭＲＳと、ＳＲＳと、シーケンスコードと、プリアンブルと、第３の所定の参照信号とのうち少なくとも１つを含む。
【００５４】
実施例において、
第２基地局により、少なくとも１つのターゲットサブフレームから測定サブフレームを決定する段階は、
第２基地局により、オペレーションアドミニストレーションおよびメンテナンスＯＡＭを介して少なくとも１つのターゲットサブフレームから測定サブフレームを決定する段階、
または、
第２基地局により、第１基地局とのネゴシエーションを介して少なくとも１つのターゲットサブフレームから測定サブフレームを決定する段階、
または、
第２基地局により、第１基地局が送信した測定サブフレームを受信する段階
を有する。
【００５５】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【００５６】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【００５７】
実施例において、
方法は、第２基地局により、第１スケジューリング情報を第１基地局へ送信する段階であり、これにより、第１基地局は、第１スケジューリング情報に基づき、第１ＵＥに関して意図された第２スケジューリング情報を決定し、第２スケジューリング情報は、第２ＵＥからの信号干渉を除去または抑制するよう第１ＵＥに命令するのに用いられる、段階をさらに備える。
【００５８】
実施例において、
第２スケジューリング情報はダウンリンクスケジューリング情報または第２の所定のスケジューリング情報である。
【００５９】
本願発明の実施形態の第４態様は、
第２ユーザ機器ＵＥにより、第２基地局が送信したターゲット設定情報を受信する段階であり、ターゲット設定情報は、測定サブフレーム、および／または第２ＵＥの第１スケジューリング情報を示すのに用いられ、測定サブフレームは、干渉測定が第１ＵＥと第２ＵＥとの間で実行されるサブフレームであり、第２基地局は、第２ＵＥが属する基地局であり、第１ＵＥは、第２基地局に近接する第１基地局の下にあるＵＥであり、第２ＵＥが干渉するＵＥである、段階を備える参照信号伝送方法を開示する。
【００６０】
実施例において、
方法は、第２ＵＥにより、第１スケジューリング情報に基づき測定サブフレームで第１信号を送信する段階であり、第１信号は、第１ＵＥと第２ＵＥとの間の干渉を測定するよう第１ＵＥに命令するのに用いられる、段階をさらに備える。
【００６１】
実施例において、
第１スケジューリング情報はアップリンクスケジューリング情報または第１の所定のスケジューリング情報である。
【００６２】
実施例において、
第１信号は、復調参照信号ＤＭＲＳと、復調参照信号ＳＲＳと、シーケンスコードと、プリアンブルと、第３の所定の参照信号とのうち少なくとも１つを含む。
【００６３】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【００６４】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【００６５】
本願発明の実施形態の第５態様は、
基地局であり、
ターゲット周波数帯域で少なくとも１つのターゲットサブフレームを決定するよう構成される決定ユニットであり、ターゲット周波数帯域は、アップリンクおよびダウンリンク伝送方向が設定可能である周波数帯域であり、少なくとも１つのターゲットサブフレームにおける基地局および近接する第２基地局のアップリンク−ダウンリンクタイムスロット設定および／または伝送方向は異なる、決定ユニットと、
少なくとも１つのターゲットサブフレームで第１参照信号を第１ユーザ機器ＵＥへ送信するよう構成される送信ユニットであり、第１ＵＥは基地局の下にあるＵＥである、送信ユニットと
を備える基地局を開示する。
【００６６】
実施例において、
第１参照信号は、復調参照信号ＤＭＲＳと、サウンディング参照信号ＳＲＳと、第１の所定の参照信号とのうち少なくとも１つを含む。
【００６７】
実施例において、
基地局は、送信ユニットが少なくとも１つのターゲットサブフレームで第１参照信号を第１ユーザ機器ＵＥへ送信する前に、第２基地局が送信した第２参照信号を受信するよう、および第２参照信号に基づき第１参照信号を設定するよう構成される受信ユニット、または第２参照信号の設定情報であり、第２基地局が送信した設定情報を受信するよう、および第２参照信号の設定情報に基づき第１参照信号を設定するよう構成される受信ユニットをさらに備え、
第２参照信号は、第２基地局の下にあるＵＥのために少なくとも１つのターゲットサブフレームで第２基地局が設定する参照信号である。
【００６８】
実施例において、
第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む。
【００６９】
実施例において、
第１参照信号は、第２参照信号と直交するよう設定される。
【００７０】
実施例において、
第２参照信号は、アップリンクＤＭＲＳと、アップリンクＳＲＳと、第２の所定の参照信号とのうち少なくとも１つを含む。
【００７１】
実施例において、
送信ユニットはさらに、第１参照信号を第２基地局へ送信することであり、これにより、第２基地局が、第１参照信号に基づき第２参照信号を更新する、ことを行うよう構成され、または、第１参照信号の設定情報を第２基地局に送信することであり、これにより、第２基地局が、第１参照信号の設定情報に基づき第２参照信号を更新する、ことを行うよう構成される。
【００７２】
実施例において、
第１参照信号の設定情報は、第１参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む。
【００７３】
実施例において、
決定ユニットはさらに、少なくとも１つのターゲットサブフレームから測定サブフレームを決定することであり、測定サブフレームは、干渉測定が第１ＵＥと第２ＵＥとの間で実行されるサブフレームであり、第２ＵＥは第２基地局の下にあるＵＥであり、第１ＵＥに対する干渉を引き起こすＵＥである、ことを行うよう構成される。
【００７４】
実施例において、
受信ユニットはさらに、第２ＵＥに関して意図された第１スケジューリング情報であり、第２基地局が送信した第１スケジューリング情報を受信するよう構成される。
【００７５】
実施例において、
送信ユニットはさらに、ターゲット設定情報を第１ＵＥへ送信することであり、ターゲット設定情報は、測定サブフレームおよび／または第１スケジューリング情報を示すのに用いられ、これにより、第２ＵＥが伝送した第１信号に対する測定を第１ＵＥが測定サブフレームで実行する、ことを行うよう構成される。
【００７６】
実施例において、
第１スケジューリング情報はアップリンクスケジューリング情報または第１の所定のスケジューリング情報である。
【００７７】
実施例において、
第１信号は、ＤＭＲＳと、ＳＲＳと、シーケンスコードと、プリアンブルと、第３の所定の参照信号とのうち少なくとも１つを含む。
【００７８】
実施例において、
受信ユニットはさらに、第１ＵＥが送信した干渉測定情報を受信するよう構成される。
【００７９】
実施例において、
決定ユニットはさらに、干渉測定情報および／または第１スケジューリング情報に基づき第２スケジューリング情報を決定すること、および第２スケジューリング情報を第１ＵＥへ送信することであり、これにより、第１ＵＥが、第２スケジューリング情報に基づき第２ＵＥからの信号干渉を除去または抑制する、ことを行うよう構成される。
【００８０】
実施例において、
第２スケジューリング情報はダウンリンクスケジューリング情報または第２の所定のスケジューリング情報である。
【００８１】
実施例において、
干渉測定情報は干渉行列である。
【００８２】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【００８３】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【００８４】
実施例において、
決定ユニットが、少なくとも１つのターゲットサブフレームから測定サブフレームを決定する方式は具体的には、
決定ユニットが、オペレーションアドミニストレーションおよびメンテナンスＯＡＭを介して少なくとも１つのターゲットサブフレームから測定サブフレームを決定する方式、
または、
決定ユニットが、第２基地局とのネゴシエーションを介して少なくとも１つのターゲットサブフレームから測定サブフレームを決定する方式、
または、
第２基地局が送信した測定サブフレームを決定ユニットが受信する方式
である。
【００８５】
実施例において、
基地局は、第１ＵＥの干渉除去機能を取得するよう構成される取得ユニットをさらに備える。
【００８６】
実施例において、
決定ユニットが、干渉測定情報および／または第１スケジューリング情報に基づき第２スケジューリング情報を決定する方式は具体的には、決定ユニットが、干渉測定情報と、第１スケジューリング情報と、第１ＵＥの干渉除去機能とのうち少なくとも１つに基づき第２スケジューリング情報を決定する方式である。
【００８７】
本願発明の実施形態の第６態様は、
ユーザ機器ＵＥであり、
ターゲット周波数帯域で少なくとも１つのターゲットサブフレームを取得するよう構成される取得ユニットであり、ターゲット周波数帯域は、アップリンクおよびダウンリンク伝送方向が設定可能である周波数帯域であり、少なくとも１つのターゲットサブフレームにおける第１基地局および近接する第２基地局のアップリンク−ダウンリンクタイムスロット設定および／または伝送方向は異なり、第１基地局はＵＥが属する基地局である、取得ユニットと、
第１基地局が送信した第１参照信号を少なくとも１つのターゲットサブフレームで受信するよう構成される受信ユニットと
を備えるＵＥを開示する。
【００８８】
実施例において、
第１参照信号は、復調参照信号ＤＭＲＳと、サウンディング参照信号ＳＲＳと、第１の所定の参照信号とのうち少なくとも１つを含む。
【００８９】
実施例において、
受信ユニットはさらに、第１基地局が送信したターゲット設定情報を受信することであり、ターゲット設定情報は、測定サブフレーム、および／または第２ＵＥに関して意図された第１スケジューリング情報を示すのに用いられ、測定サブフレームは、干渉測定がＵＥと第２ＵＥとの間で実行されるサブフレームであり、第２ＵＥは、第２基地局の下にあるＵＥであり、ＵＥに対する干渉を引き起こすＵＥであり、第１スケジューリング情報は、第２基地局により第１基地局へ送信される、ことを行うよう構成される。
【００９０】
実施例において、
第１スケジューリング情報はアップリンクスケジューリング情報または第１の所定のスケジューリング情報である。
【００９１】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【００９２】
実施例において、
ＵＥは、第２ＵＥが伝送した第１信号に対する測定を測定サブフレームで実行して測定結果を取得するよう構成される測定ユニットをさらに備える。
【００９３】
実施例において、
第１信号は、ＤＭＲＳと、ＳＲＳと、シーケンスコードと、プリアンブルと、第３の所定の参照信号とのうち少なくとも１つを含む。
【００９４】
実施例において、
ＵＥは、測定結果を第１基地局へ直接的に送信するよう構成される送信ユニットをさらに備える。
【００９５】
実施例において、
ＵＥは、測定結果に基づき干渉測定情報を決定するよう構成される決定ユニットをさらに備える。
【００９６】
実施例において、
送信ユニットはさらに、干渉測定情報を第１基地局へ送信するよう構成されている。
【００９７】
実施例において、
干渉測定情報は干渉行列である。
【００９８】
実施例において、
受信ユニットはさらに、干渉測定情報若しくは測定結果および／または第１スケジューリング情報に基づき第１基地局が決定した第２スケジューリング情報を受信するよう構成される。
【００９９】
実施例において、
ＵＥは、第２スケジューリング情報に基づき第２ＵＥからの信号干渉を除去または抑制するよう構成される干渉抑制ユニットをさらに備える。
【０１００】
実施例において、
第２スケジューリング情報はダウンリンクスケジューリング情報または第２の所定のスケジューリング情報である。
【０１０１】
実施例において、
送信ユニットはさらに、ＵＥの干渉除去機能を第１基地局へ送信するよう構成される。
【０１０２】
実施例において、
干渉測定情報若しくは測定結果および／または第１スケジューリング情報に基づき、第１基地局が決定した第２スケジューリング情報を受信ユニットが受信する方式は具体的には、干渉測定情報または測定結果と、第１スケジューリング情報と、第１ＵＥの干渉除去機能とのうち少なくとも１つに基づき、第１基地局が決定した第２スケジューリング情報を受信ユニットが受信する方式である。
【０１０３】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【０１０４】
本願発明の実施形態の第７態様は、
基地局であり、
ターゲット周波数帯域で少なくとも１つのターゲットサブフレームを決定するよう構成される決定ユニットであり、ターゲット周波数帯域は、アップリンクおよびダウンリンク伝送方向が設定可能である周波数帯域であり、少なくとも１つのターゲットサブフレームにおける基地局および近接する第１基地局のアップリンク−ダウンリンクタイムスロット設定および／または伝送方向は異なる、決定ユニットと、
第１基地局が送信した第１参照信号を受信するよう構成される受信ユニットであり、第１参照信号は、第１基地局の下にあるＵＥのために少なくとも１つのターゲットサブフレームで第１基地局が設定する参照信号である、受信ユニットと、
第１参照信号に基づき基地局の第２参照信号を設定するよう構成される設定ユニットと
を備える基地局を開示する。
【０１０５】
実施例において、
第１参照信号は、復調参照信号ＤＭＲＳと、サウンディング参照信号ＳＲＳと、第１の所定の参照信号とのうち少なくとも１つを含む。
【０１０６】
実施例において、
第２参照信号は、アップリンクＤＭＲＳと、アップリンクＳＲＳと、第２の所定の参照信号とのうち少なくとも１つを含む。
【０１０７】
実施例において、
第２参照信号は、第１参照信号と直交するよう設定される。
【０１０８】
実施例において、
基地局は、第２参照信号を第１基地局へ送信することであり、これにより、第１基地局は、第２参照信号に基づき第１参照信号を更新する、こと、
または、
第２参照信号の設定情報を第１基地局へ送信することであり、これにより、第１基地局は、第２参照信号の設定情報に基づき第１参照信号を更新する、こと
を行うよう構成される送信ユニットをさらに備える。
【０１０９】
実施例において、
第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含む。
【０１１０】
実施例において、
決定ユニットはさらに、少なくとも１つのターゲットサブフレームから測定サブフレームを決定することであり、測定サブフレームは、干渉測定が第１ユーザ機器ＵＥと第２ＵＥとの間で実行されるサブフレームであり、第１ＵＥは第１基地局の下にあるＵＥであり、第２ＵＥは基地局の下にあるＵＥであり、第１ＵＥに対する干渉を引き起こすＵＥである、ことを行うよう構成される。
【０１１１】
実施例において、
送信ユニットはさらに、ターゲット設定情報を第２ＵＥへ送信することであり、ターゲット設定情報は、測定サブフレーム、および／または第２ＵＥに関して意図された第１スケジューリング情報を示すのに用いられ、これにより、第２ＵＥは測定サブフレームで第１信号を送信し、第１信号は、第１ＵＥと第２ＵＥとの間の干渉を測定するよう第１ＵＥに命令するのに用いられる、ことを行うよう構成される。
【０１１２】
実施例において、
第１スケジューリング情報はアップリンクスケジューリング情報または第１の所定のスケジューリング情報である。
【０１１３】
実施例において、
第１信号は、ＤＭＲＳと、ＳＲＳと、シーケンスコードと、プリアンブルと、第３の所定の参照信号とのうち少なくとも１つを含む。
【０１１４】
実施例において、
決定ユニットが、少なくとも１つのターゲットサブフレームから測定サブフレームを決定する方式は具体的には、
決定ユニットが、オペレーションアドミニストレーションおよびメンテナンスＯＡＭを介して少なくとも１つのターゲットサブフレームから測定サブフレームを決定する方式、
または、
決定ユニットが、第１基地局とのネゴシエーションを介して少なくとも１つのターゲットサブフレームから測定サブフレームを決定する方式、
または、
第１基地局が送信した測定サブフレームを決定ユニットが受信する方式
である。
【０１１５】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【０１１６】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【０１１７】
実施例において、
送信ユニットはさらに、第１スケジューリング情報を第１基地局へ送信することであり、これにより、第１基地局は、第１スケジューリング情報に基づき、第１ＵＥに関して意図された第２スケジューリング情報を決定し、第２スケジューリング情報は、第２ＵＥからの信号干渉を除去または抑制するよう第１ＵＥに命令するのに用いられる、ことを行うよう構成される。
【０１１８】
実施例において、
第２スケジューリング情報はダウンリンクスケジューリング情報または第２の所定のスケジューリング情報である。
【０１１９】
本願発明の実施形態の第８態様は、
ユーザ機器ＵＥであり、
第２基地局が送信したターゲット設定情報を受信することであり、ターゲット設定情報は、測定サブフレーム、および／またはＵＥの第１スケジューリング情報を示すのに用いられ、測定サブフレームは、干渉測定が第１ＵＥとＵＥとの間で実行されるサブフレームであり、第２基地局は、ＵＥが属する基地局であり、第１ＵＥは、第２基地局に近接する第１基地局の下にあるＵＥであり、ＵＥが干渉するＵＥである、ことを行うよう構成される受信ユニットを備える、ＵＥを開示する。
【０１２０】
実施例において、
ＵＥは、第１スケジューリング情報に基づき測定サブフレームで第１信号を送信することであり、第１信号は、第１ＵＥとＵＥとの間の干渉を測定するよう第１ＵＥに命令するのに用いられる、ことを行うよう構成される送信ユニットをさらに備える。
【０１２１】
実施例において、
第１スケジューリング情報はアップリンクスケジューリング情報または第１の所定のスケジューリング情報である。
【０１２２】
実施例において、
第１信号は、復調参照信号ＤＭＲＳと、復調参照信号ＳＲＳと、シーケンスコードと、プリアンブルと、第３の所定の参照信号とのうち少なくとも１つを含む。
【０１２３】
実施例において、
第１スケジューリング情報は、第２ＵＥのアイデンティティと、第２ＵＥが占有する物理リソースブロックＰＲＢのアイデンティティと、第２ＵＥの伝送電力とのうち少なくとも１つを含む。
【０１２４】
実施例において、
ターゲット設定情報はシグナリングを用いて送信され、シグナリングは、無線リソース制御ＲＲＣシグナリングと、メディアアクセス制御ＭＡＣシグナリングと、物理層シグナリングとのうち１つを含む。
【０１２５】
本願発明の実施形態の第９態様は、
プロセッサと、入力装置と、出力装置と、メモリとを備え、
メモリは、プログラムおよびデータを格納するよう構成され、プロセッサは、メモリに格納されたプログラムを呼び出して本願発明の実施形態の第１態様で開示されているいずれか１つに係る方法を実行するよう構成される、基地局を開示する。
【０１２６】
本願発明の実施形態の第１０態様は、
プロセッサと、入力装置と、出力装置と、メモリとを備え、
メモリは、プログラムおよびデータを格納するよう構成され、プロセッサは、メモリに格納されたプログラムを呼び出して本願発明の実施形態の第２態様で開示されているいずれか１つに係る方法を実行するよう構成される、ユーザ機器ＵＥを開示する。
【０１２７】
本願発明の実施形態の第１１態様は、
プロセッサと、入力装置と、出力装置と、メモリとを備え、
メモリは、プログラムおよびデータを格納するよう構成され、プロセッサは、メモリに格納されたプログラムを呼び出して本願発明の実施形態の第３態様で開示されているいずれか１つに係る方法を実行するよう構成される、基地局を開示する。
【０１２８】
本願発明の実施形態の第１２態様は、
プロセッサと、入力装置と、出力装置と、メモリとを備え、
メモリは、プログラムおよびデータを格納するよう構成され、プロセッサは、メモリに格納されたプログラムを呼び出して本願発明の実施形態の第４態様で開示されているいずれか１つに係る方法を実行するよう構成される、ユーザ機器ＵＥを開示する。
【０１２９】
本願発明の実施形態の第１３態様は、本願発明の実施形態の第５態様で開示されているいずれか１つに係る基地局と、本願発明の実施形態の第６態様で開示されているいずれか１つに係るＵＥと、本願発明の実施形態の第７態様で開示されているいずれか１つに係る基地局と、本願発明の実施形態の第８態様で開示されているいずれか１つに係るＵＥとを含む参照信号伝送システムを開示する。
【０１３０】
本願発明の実施形態において、フレキシブル複信システムにおいて、第１基地局は、ターゲット周波数帯域で少なくとも１つのターゲットサブフレームを決定することであり、ターゲット周波数帯域は、アップリンクおよびダウンリンク伝送方向が設定可能である周波数帯域であり、少なくとも１つのターゲットサブフレームにおける第１基地局および近接する第２基地局のアップリンク−ダウンリンクタイムスロット設定および／または伝送方向は異なる、ことを行ってよく、第１基地局は、第１参照信号を第１基地局の下にある第１ＵＥへ少なくとも１つのターゲットサブフレームで送信してよい。本願発明の実施形態が実現された場合、基地局が参照信号をフレキシブルな周波数帯域で伝送出来、これにより、フレキシブル複信システムにおいて近接するセル間の参照信号同士の干渉を効果的に低減出来る。
【図面の簡単な説明】
【０１３１】
本願発明の実施形態における技術的解決手段をより明確に説明すべく、それら実施形態を説明するために必要な添付図面を以下に簡単に説明する。明らかに、以下の説明にある添付図面は本願発明の単に一部の実施形態を示しているのであり、当業者は、創造的努力なしでこれら添付図面から他の図面を導き出し得る。
【０１３２】
【図１】本願発明の実施形態で開示される、参照信号伝送の適用シナリオの模式図である。
【図２】本願発明の実施形態で開示される、参照信号伝送方法の概略的フローチャートである。
【図３】本願発明の実施形態で開示される、他の参照信号伝送方法の概略的フローチャートである。
【図４】本願発明の実施形態で開示される、他の参照信号伝送方法の概略的フローチャートである。
【図５】本願発明の実施形態で開示される、さらに他の参照信号伝送方法の概略的フローチャートである。
【図６】本願発明の実施形態で開示される基地局の概略構造図である。
【図７】本願発明の実施形態で開示される他の基地局の概略構造図である。
【図８】本願発明の実施形態で開示される他の基地局の概略構造図である。
【図９】本願発明の実施形態で開示されるＵＥの概略構造図である。
【図１０】本願発明の実施形態で開示される他のＵＥの概略構造図である。
【図１１】本願発明の実施形態で開示される他のＵＥの概略構造図である。
【図１２】本願発明の実施形態で開示される他の基地局の概略構造図である。
【図１３】本願発明の実施形態で開示される他の基地局の概略構造図である。
【図１４】本願発明の実施形態で開示されるさらに他の基地局の概略構造図である。
【図１５】本願発明の実施形態で開示される他のＵＥの概略構造図である。
【図１６】本願発明の実施形態で開示される他のＵＥの概略構造図である。
【図１７】本願発明の実施形態で開示されるさらに他のＵＥの概略構造図である。
【図１８】本願発明の実施形態で開示される参照信号伝送システムの概略構造図である。
【発明を実施するための形態】
【０１３３】
本願発明の実施形態における添付図面を参照し、本願発明の実施形態における技術的解決手段を以下に、明確かつ完全に説明する。明らかに、それら説明されている実施形態は、本願発明の実施形態の全てではなく単に一部である。本願発明の実施形態に基づき当業者が創造的努力なしで得る全ての他の実施形態が、本願発明の保護範囲に含まれるものとする。
【０１３４】
本願発明の実施形態は、フレキシブル複信システムにおいて近接するセル間の参照信号同士の干渉を低減すべくどのように参照信号を伝送するかという課題を解決するよう、参照信号伝送方法、並びに関連するデバイスおよびシステムを開示する。以下では、参照信号伝送方法、並びに関連するデバイスおよびシステムを別々に詳細に説明する。
【０１３５】
本願発明の実施形態のより良好な理解のために、以下ではまず、本願発明の実施形態で開示される参照信号伝送の適用シナリオを説明する。図１を参照すると、図１は、本願発明の実施形態で開示される、参照信号伝送の適用シナリオの模式図である。図１に示されている適用シナリオにおいて、少なくとも２つの基地局（例えば、第１基地局および第２基地局）、および少なくとも２つのＵＥ（例えば、ＵＥ１、ＵＥ２、ＵＥ３、およびＵＥ４）が含まれ得る。少なくとも２つの基地局は、スモールセル（Ｓｍａｌｌ  Ｃｅｌｌ）が属する基地局である。言い換えると、スモールセルが基地局に対応している。加えて、これら基地局は、互いに近接している基地局である。言い換えると、第１基地局は第２基地局に近接している。ＵＥは、モバイルフォン、パームトップコンピュータ、タブレットコンピュータ、パーソナルデジタルアシスタント（Ｐｅｒｓｏｎａｌ  Ｄｉｇｉｔａｌ  Ａｓｓｉｓｔａｎｔ，ＰＤＡ）、モバイルインターネットデバイス（Ｍｏｂｉｌｅ  Ｉｎｔｅｒｎｅｔ  Ｄｅｖｉｃｅ，ＭＩＤ）、およびウェアラブルデバイス（例えば、スマートウォッチまたはスマートバンド）などの様々なタイプのデバイスを含んでよく、本願発明の本実施形態において限定されるものではない。ＵＥ１およびＵＥ２は第１基地局の下にあるＵＥであり、第１基地局のエッジＵＥである（すなわち、ＵＥ１およびＵＥ２は、第１基地局のカバレッジエリアのエッジ領域に配置されている）。ＵＥ３およびＵＥ４は第２基地局の下にあるＵＥであり、第２基地局のエッジＵＥである（すなわち、ＵＥ３およびＵＥ４は、第２基地局のカバレッジエリアのエッジ領域に配置されている）。
【０１３６】
図１に示されている適用シナリオにおいて、第１基地局は、ＵＥ１およびＵＥ２と別々に参照信号伝送を実行してよく、第２基地局は、ＵＥ３およびＵＥ４と別々に参照信号伝送を実行してよい。既存のＬＴＥシステムにおいて、第１基地局に属するＵＥと第１基地局がアップリンク参照信号の伝送を実行する場合、第２基地局も、第２基地局に属するＵＥとアップリンク参照信号の伝送を実行する。第１基地局に属するＵＥと第１基地局がダウンリンク参照信号の伝送を実行する場合、第２基地局も、第２基地局に属するＵＥとダウンリンク参照信号の伝送を実行する。その結果、近接するセル間の参照信号が干渉を受ける。スモールセルが密に配置されているシナリオにおいて、アップリンクおよびダウンリンク参照信号はより大きく干渉を受ける。なぜなら、スモールセルの伝送電力はＵＥの伝送電力に近いからである。先述の課題に対処すべく、図１に示されている適用シナリオにおいて、フレキシブル複信技術が導入され、これにより、フレキシブルな周波数帯域を用いることによりアップリンクおよびダウンリンク伝送方向が設定され得る。例えば、ダウンリンクトラフィックがアップリンクトラフィックより混み合っている場合、ダウンリンク伝送の要求条件を満たすべくアップリンク周波数帯域がダウンリンク周波数帯域として設定され得る。フレキシブル複信システムに基づくと、干渉の調整を実現し、近接するセル間の参照信号同士の干渉を出来る限り低減するよう、第１基地局がＵＥ１またはＵＥ２とのアップリンク参照信号の伝送を実行する場合、第２基地局は、ＵＥ３またはＵＥ４とダウンリンク参照信号の伝送を実行するよう構成され、第１基地局がＵＥ１またはＵＥ２とダウンリンク参照信号の伝送を実行する場合、第２基地局は、ＵＥ３またはＵＥ４とアップリンク参照信号の伝送を実行するよう構成される。この方式は、スモールセルが密に配置されているシナリオにおいて特に適用可能である。
【０１３７】
図１に示されている適用シナリオに基づき、本願発明の実施形態は参照信号伝送方法を開示する。図２を参照すると、図２は、本願発明の実施形態で開示される参照信号伝送方法の概略的フローチャートである。参照信号伝送方法は、第１基地局の視点から説明される。参照信号伝送方法はフレキシブル複信システムに適用されてよい。図２に示されているように、参照信号伝送方法は以下の段階を含んでよい。
【０１３８】
２０１．第１基地局がターゲット周波数帯域で少なくとも１つのターゲットサブフレームを決定する。
【０１３９】
本願発明の本実施形態において、ターゲット周波数帯域は、アップリンクおよびダウンリンク伝送方向が設定可能な周波数帯域である。すなわち、アップリンクおよびダウンリンク伝送方向は、サービスの要求条件に基づき転換され得る。ダウンリンクトラフィックがアップリンクトラフィックより混み合っている場合、アップリンク周波数帯域がダウンリンク周波数帯域に転換され得、または、アップリンクトラフィックがダウンリンクトラフィックより混み合っている場合、ダウンリンク周波数帯域がアップリンク周波数帯域に転換され得る。したがって、ターゲット周波数帯域はフレキシブルな周波数帯域と呼ばれてよい。ターゲット周波数帯域は搬送波であってよく、または搬送波上の部分的な周波数帯域であってよい。
【０１４０】
本願発明の本実施形態において、ターゲット周波数帯域から少なくとも１つのターゲットサブフレームが決定され、少なくとも１つのターゲットサブフレームで第１基地局および近接する第２基地局のアップリンク−ダウンリンクタイムスロット設定および／または伝送方向は異なる。すなわち、任意のターゲットサブフレームで第１基地局および第２基地局のアップリンク−ダウンリンクタイムスロット設定は異なり、例えば、第１基地局のアップリンク−ダウンリンクタイムスロット設定は０で、第２基地局のアップリンク−ダウンリンクタイムスロット設定は１である。および／または、任意のターゲットサブフレームで第１基地局および第２基地局の伝送方向は異なり、例えば、第１基地局がダウンリンク伝送を実行するとき、第２基地局はアップリンク伝送を実行し、または第１基地局がアップリンク伝送を実行するとき、第２基地局はダウンリンク伝送を実行する。少なくとも１つのターゲットサブフレームは、ターゲット周波数帯域全体であってよく、またはターゲット周波数帯域のサブフレームの一部であってよい。
【０１４１】
２０２．第１基地局が、少なくとも１つのターゲットサブフレームで第１参照信号を第１ユーザ機器ＵＥへ送信する。
【０１４２】
本願発明の本実施形態において、第１ＵＥは第１基地局の下にあるＵＥであり、第１基地局の下にあるエッジＵＥであってよい（すなわち、第１ＵＥは、第１基地局のカバレッジエリアのエッジ領域に配置されているＵＥである）。第１参照信号は、復調参照信号ＤＭＲＳと、サウンディング参照信号ＳＲＳと、所定のシーケンスと、第１の所定の参照信号と、これらと同様ものとのうち少なくとも１つを含んでよいがこれらに限定されるものではない。少なくとも１つのターゲットサブフレームがフレキシブルな周波数帯域から決定された後、第１基地局は少なくとも１つのターゲットサブフレームで第１参照信号を第１ＵＥへ送信してよく、これにより、近接するセルが参照信号を伝送するとき、それら参照信号同士の干渉が最も低い程度まで低減され得、参照信号伝送の正確性が向上し得る。
【０１４３】
本願発明の本実施形態において、第１基地局が少なくとも１つのターゲットサブフレームで第１参照信号を第１ＵＥへ送信する前に、第１ＵＥがまず決定されてよい。言い換えると、エッジＵＥが決定される。第１ＵＥを決定する具体的な実施プロセスは次の通りであってよい。ＲＳＲＰ（Ｒｅｆｅｒｅｎｃｅ  Ｓｉｇｎａｌ  Ｒｅｃｅｉｖｅｄ  Ｐｏｗｅｒ，参照信号受信電力）パラメータと、ＲＳＳＩ（Ｒｅｃｅｉｖｅｄ  Ｓｉｇｎａｌ  Ｓｔｒｅｎｇｔｈ  Ｉｎｄｉｃａｔｏｒ，受信信号強度インジケータ）パラメータと、ＲＳＲＱ（Ｒｅｆｅｒｅｎｃｅ  Ｓｉｇｎａｌ  Ｒｅｃｅｉｖｅｄ  Ｑｕａｌｉｔｙ，参照信号受信品質）パラメータとのうち少なくとも１つのパラメータに基づき、第１基地局が第１ＵＥを決定する。
【０１４４】
オプションの実施例において、段階２０２が実行される前に、図２に説明されている方法はさらに、以下の段階を含んでよい。
（２０）第１基地局が、第２基地局が送信した第２参照信号を受信し、第２参照信号に基づき第１参照信号を設定する。
または、
（２１）第１基地局が、第２参照信号の設定情報であり、第２基地局が送信した設定情報を受信し、第２参照信号の設定情報に基づき第１参照信号を設定する。
【０１４５】
本実施例において、第２基地局は、Ｘ２インタフェースを用いて、またはブロードキャスト方式で、第２参照信号、または第２参照信号の設定情報を第１基地局へ送信してよい。第２参照信号は、第２基地局の下にあるＵＥのために少なくとも１つのターゲットサブフレームで第２基地局が設定する参照信号であり、アップリンクＤＭＲＳと、アップリンクＳＲＳと、所定のシーケンスと、第２の所定の参照信号と、これらと同様のものとのうち少なくとも１つを含んでよいがこれらに限定されるものではない。第２参照信号の設定情報は、第２参照信号のシーケンス長と、巡回シフトと、ダウンリンク制御情報（Ｄｏｗｎｌｉｎｋ  Ｃｏｎｔｒｏｌ  Ｉｎｆｏｒｍａｔｉｏｎ，ＤＣＩ）のフォーマットと、セルアイデンティティ（第２基地局に対応するセルのアイデンティティ）と、Ｚａｄｏｆｆ−Ｃｈｕシーケンスの初期値と、直交符号と、これらと同様のものとのうち少なくとも１つを含んでよいがこれらに限定されるものではない。
【０１４６】
本実施例において、第２参照信号、または第２参照信号の設定情報に基づき第１参照信号を設定する具体的な実施例は、参照信号同士の干渉を回避するよう第２参照信号と直交するよう第１参照信号を設定することである。
【０１４７】
オプションの実施例において、図２に説明されている方法はさらに、以下の段階を含んでよい。
（２２）第１基地局が、第１参照信号を第２基地局へ送信する段階であり、これにより、第２基地局が、第１参照信号に基づき第２参照信号を更新する、段階。
または、
（２３）第１基地局が、第１参照信号の設定情報を第２基地局に送信する段階であり、これにより、第２基地局が、第１参照信号の設定情報に基づき第２参照信号を更新する、段階。
【０１４８】
本実施例において、参照信号は変更されないままではないので、参照信号をより完璧にするよう、第２参照信号は、第１参照信号、または第１参照信号の設定情報を用いて更新されてよい。第１基地局は、Ｘ２インタフェースを用いて、第１参照信号、または第１参照信号の設定情報を第２基地局へ送信してよい。第１参照信号の設定情報は、第１参照信号のシーケンス長と、巡回シフトと、ダウンリンク制御情報ＤＣＩのフォーマットと、セルアイデンティティ（第１基地局に対応するセルのアイデンティティ）と、Ｚａｄｏｆｆ−Ｃｈｕシーケンスの初期値と、直交符号と、これらと同様のものとのうち少なくとも１つを含んでよいがこれらに限定されるものではない。
【０１４９】
本願発明の本実施形態において、図２に説明されている方法はさらに、以下の段階を含む。
（２４）第１基地局が少なくとも１つのターゲットサブフレームから測定サブフレームを決定する。
【０１５０】
測定サブフレームは、干渉測定が第１ＵＥと第２ＵＥとの間で実行されるサブフレームであり、第２ＵＥは第２基地局の下にあるＵＥであり、第１ＵＥに対する干渉を引き起こすＵＥである。第２ＵＥは、第２基地局の下にあるエッジＵＥであってよい。第１ＵＥと第２ＵＥとの間の干渉は、測定サブフレームで測定されてよい。
【０１５１】
オプションの実施例において、第１基地局が少なくとも１つのターゲットサブフレームから測定サブフレームを決定する段階（２４）の具体的な実施例は、以下の段階を含んでよい。
（２４ａ）第１基地局が、オペレーションアドミニストレーションおよびメンテナンス（Ｏｐｅｒａｔｉｏｎ  Ａｄｍｉｎｉｓｔｒａｔｉｏｎ  ａｎｄ  Ｍａｉｎｔｅｎａｎｃｅ，ＯＡＭ）を介して少なくとも１つのターゲットサブフレームから測定サブフレームを決定する段階。
または、
（２４ｂ）第１基地局が、第２基地局とのネゴシエーションを介して少なくとも１つのターゲットサブフレームから測定サブフレームを決定する段階。
または、
（２４ｃ）第２基地局が送信した測定サブフレームを第１基地局が受信する、すなわち、測定サブフレームは第２基地局が決定する段階。
【０１５２】
オプションで、図２に説明されている方法はさらに、以下の段階を含んでよい。
（２５）第２ＵＥに関して意図された第１スケジューリング情報であって第２基地局が送信した第１スケジューリング情報を第１基地局が受信する段階。
【０１５３】
第１スケジューリング情報は、Ｘ２インタフェースまたは近接するセルのブロードキャストを用いて第１基地局により取得されてよい。第１スケジューリング情報は、アップリンクスケジューリング情報、第１の所定のスケジューリング情報、または同様のものであってよい。第１スケジューリング情報は、第２ＵＥのアイデンティティと、第２ＵＥが占有する物理リソースブロック（Ｐｈｙｓｉｃａｌ  Ｒｅｓｏｕｒｃｅ  Ｂｌｏｃｋ，ＰＲＢ）のアイデンティティと、第２ＵＥの伝送電力と、およびこれらと同様のものとのうち少なくとも１つを含んでよいがこれらに限定されるものではない。
【０１５４】
オプションで、図２に説明されている方法はさらに、以下の段階を含んでよい。
（２６）第１基地局がターゲット設定情報を第１ＵＥへ送信する段階であり、ターゲット設定情報は、測定サブフレームおよび／または第１スケジューリング情報を示すのに用いられ、これにより、第１ＵＥが、第２ＵＥが伝送した第１信号に対する測定を測定サブフレームで実行して測定結果を取得し、その測定結果に基づき干渉測定情報を決定する、段階。
【０１５５】
第２ＵＥが伝送した第１信号は、第１ＵＥの干渉信号とみなされてよい。言い換えると、第２ＵＥが伝送した第１信号は、第１ＵＥに対する干渉を引き起こし得る。第１信号は、ＤＭＲＳと、ＳＲＳと、シーケンスコードと、プリアンブルと、第３の所定の参照信号とのうち少なくとも１つを含んでよいがこれらに限定されるものではない。干渉測定情報は干渉行列であってよい。図１に示されているように、ＵＥ１と、ＵＥ３およびＵＥ４との間で生成される干渉行列は［Ｈ３１，Ｈ４１］であり、ＵＥ２と、ＵＥ３およびＵＥ４との間で生成される干渉行列は［Ｈ３２，Ｈ４２］である。
【０１５６】
具体的には、第１基地局は、シグナリングを用いてターゲット設定情報を第１ＵＥへ送信してよい。シグナリングは、無線リソース制御（Ｒａｄｉｏ  Ｒｅｓｏｕｒｃｅ  Ｃｏｎｔｒｏｌ，ＲＲＣ）シグナリングと、メディアアクセス制御（Ｍｅｄｉａ  Ａｃｃｅｓｓ  Ｃｏｎｔｒｏｌ，ＭＡＣ）シグナリングと、物理層シグナリングと、これらと同様のものとのうち１つを含んでよいがこれらに限定されるものではない。
【０１５７】
オプションで、図２に説明されている方法はさらに、以下の段階を含んでよい。
（２７）第１ＵＥが送信した干渉測定情報または測定結果を第１基地局が受信する段階。
【０１５８】
これに対応して、図２に説明されている方法はさらに、以下の段階を含んでよい。
（２８）干渉測定情報若しくは測定結果および／または第１スケジューリング情報に基づき第２スケジューリング情報を第１基地局が決定し、第２スケジューリング情報を第１ＵＥへ送信する段階であり、これにより、第１ＵＥが、第２スケジューリング情報に基づき、第２ＵＥからの信号干渉を除去または抑制する、段階。
【０１５９】
第２スケジューリング情報は、ダウンリンクスケジューリング情報、第２の所定のスケジューリング情報、または同様のものであってよい。
【０１６０】
オプションで、図２に説明されている方法はさらに、以下の段階を含んでよい。
（２９）第１基地局が第１ＵＥの干渉除去機能を取得する段階。
【０１６１】
第１基地局が、干渉測定情報および／または第１スケジューリング情報に基づき第２スケジューリング情報を決定する段階（２８）の具体的な実施例は、
第１基地局が、干渉測定情報と、第１スケジューリング情報と、第１ＵＥの干渉除去機能とのうち少なくとも１つに基づき第２スケジューリング情報を決定することであってよい。
【０１６２】
本願発明の本実施形態において、近接するセル間の調整されたスケジューリングおよび伝送が以下の３つの方式で実行される。１．想定されているＤＭＲＳ干渉が特定された場合、完全分離の時間−周波数リソース分割が実行される。２．セル間の参照信号およびデータが伝送においては重なり合うが、干渉除去に依存する。３．セル間の参照信号が伝送において重なり合うが、干渉除去に依存する。調整されたスケジューリングおよび干渉除去方法は少なくとも、以下の３つの方法を含んでよい。方法１：フレキシブル複信構成を用いるサブフレームの参照信号が送信されず、アップリンクおよびダウンリンクサブフレーム間の干渉が回避される。方法２：測定が実行され、スモールセルに関して干渉行列が確立され、フレキシブル複信構成を用いる近接するセルのサービス信号からの干渉がまず取り除かれ、それから参照信号検出が実行される。方法３：測定が実行され、スモールセルに関して干渉行列が確立され、フレキシブル複信構成を用いる近接するセルにより引き起こされる参照信号に対する干渉がまず取り除かれ、それからサービス信号検出が実行される。前述の調整されたスケジューリング方法に基づけば、方法１では、近接する基地局の対応するＤＭＲＳがクリアされ、干渉除去が必要とされず、ＵＥの受信機の機能に対する要求条件は低い。方法２では、アップリンク受信を実行する第２基地局に関し、第１基地局からのダウンリンク干渉が除去され、この除去は、基地局受信機のオペレーションおよび即時測定に基づき、ローカルＤＭＲＳ受信に対する近接するセルのデータ信号により引き起こされる干渉が除去される。第１基地局に属するＵＥに関し、ローカルセルに近接するセルするアップリンク伝送により引き起こされるＵＥ特定の干渉が導き出され、最終的に、ＵＥのＩＤ、ＰＲＢインデックス、伝送電力、またはＨ行列の即時測定に基づき、ローカルＤＭＲＳ受信に対するデータにより引き起こされる干渉が除去される。方法３では、アップリンク受信を実行する第２基地局に関し、第１基地局からのダウンリンク干渉が除去され、この除去は、基地局受信機のオペレーションおよび即時測定に基づき、ローカルＤＭＲＳ受信に対する近接するセルのデータ信号により引き起こされる干渉が除去される。第１基地局に属するＵＥに関し、ローカルセルに近接するセルするアップリンク伝送により引き起こされるＵＥ特定の干渉が導き出され、最終的に、ＵＥのＩＤ、ＰＲＢインデックス、伝送電力、またはＨ行列の即時測定に基づき、ローカルＤＭＲＳ受信における参照信号に対する干渉が除去される。
【０１６３】
本願発明の本実施形態は低周波数システムに限定されるものではなく、高周波数ミリ波システムに適用されてよいことに留意すべきである。したがって、前述の関わっている参照信号、スケジューリング情報、干渉測定、および同様のものの全てがビームフォーミング（ｂｅａｍｆｏｒｍｉｎｇ）に基づいてよい。
【０１６４】
本願発明の本実施形態において、図２に説明されている方法において、基地局が参照信号をフレキシブルな周波数帯域で伝送出来、これにより、フレキシブル複信システムにおいて近接するセル間の参照信号同士の干渉を効果的に低減出来る。
【０１６５】
図１に示されている適用シナリオに基づき、本願発明の実施形態は他の参照信号伝送方法を開示する。図３を参照すると、図３は、本願発明の実施形態で開示される、他の参照信号伝送方法の概略的フローチャートである。参照信号伝送方法は、第１ＵＥの視点から説明される。参照信号伝送方法は、フレキシブル複信システムに適用されてよい。図３に示されているように、参照信号伝送方法は以下の段階を含んでよい。
【０１６６】
３０１．第１ＵＥがターゲット周波数帯域で少なくとも１つのターゲットサブフレームを取得する。
【０１６７】
本願発明の本実施形態において、ターゲット周波数帯域は、アップリンクおよびダウンリンク伝送方向が設定可能な周波数帯域であり、すなわち、フレキシブルな周波数帯域である。ターゲット周波数帯域は搬送波であってよく、または搬送波上の部分的な周波数帯域であってよい。少なくとも１つのターゲットサブフレームにおける第１基地局および近接する第２基地局のアップリンク−ダウンリンクタイムスロット設定および／または伝送方向は異なり、第１基地局は第１ＵＥが属する基地局であり、第１ＵＥは第１基地局のエッジＵＥであってよく、第１基地局は第２基地局に近接している。
【０１６８】
本願発明の本実施形態において、第１基地局が送信したインジケーション情報を第１ＵＥが受信してよい。インジケーション情報は、ターゲット周波数帯域で少なくとも１つのターゲットサブフレームを示すのに用いられる。
【０１６９】
３０２．第１基地局が送信した第１参照信号を第１ＵＥが少なくとも１つのターゲットサブフレームで受信する。
【０１７０】
本願発明の本実施形態において、第１参照信号は、復調参照信号ＤＭＲＳと、サウンディング参照信号ＳＲＳと、所定のシーケンスと、第１の所定の参照信号と、これらと同様ものとのうち少なくとも１つを含んでよいがこれらに限定されるものではない。
【０１７１】
本願発明の本実施形態において、図３に説明されている方法は、以下の段階をさらに含んでよい。
（３０）第１基地局が送信したターゲット設定情報を第１ＵＥが受信する。
【０１７２】
本願発明の本実施形態において、ターゲット設定情報は、測定サブフレーム、および／または第２ＵＥに関して意図された第１スケジューリング情報を示すのに用いられてよく、測定サブフレームは、干渉測定が第１ＵＥと第２ＵＥとの間で実行されるサブフレームであり、第２ＵＥは、第２基地局の下にあるＵＥであり、第１ＵＥに対する干渉を引き起こすＵＥであり、第１スケジューリング情報は、Ｘ２インタフェースを用いて、またはブロードキャストにより第２基地局により第１基地局へ送信される。
【０１７３】
第１スケジューリング情報は、アップリンクスケジューリング情報、第１の所定のスケジューリング情報、または同様のものである。第１スケジューリング情報は、第２ＵＥのアイデンティティと、第２ＵＥが占有する物理リソースブロックＰＲＢのアイデンティティと、第２ＵＥの伝送電力とのうち少なくとも１つを含んでよいがこれらに限定されるものではない。
【０１７４】
オプションの実施例において、シグナリングを用いて第１基地局が送信したターゲット設定情報を第１ＵＥが受信する。シグナリングは、無線リソース制御ＲＲＣシグナリングと、メディアアクセス制御ＭＡＣシグナリングと、物理層シグナリングと、これらと同様のものとのうち１つを含んでよいがこれらに限定されるものではない。
【０１７５】
これに対応して、図３に説明されている方法はさらに、以下の段階を含んでよい。
（３１）第２ＵＥが伝送した第１信号に対する測定を第１ＵＥが測定サブフレームで実行して測定結果を取得する段階。
【０１７６】
第１信号は、ＤＭＲＳと、ＳＲＳと、シーケンスコードと、プリアンブルと、第３の所定の参照信号と、これらと同様のものとのうち少なくとも１つを含んでよいがこれらに限定されるものではない。
【０１７７】
オプションで、図３に説明されている方法はさらに、以下の段階を含んでよい。
（３２）第１ＵＥが、測定結果に基づき干渉測定情報を決定する段階。
【０１７８】
干渉測定情報は干渉行列であってよく、言い換えると、行列形式で表されてよい。
【０１７９】
オプションで、図３に説明されている方法はさらに、以下の段階を含んでよい。
（３３）第１ＵＥが、干渉測定情報または測定結果を第１基地局へ送信する段階。
【０１８０】
これに対応して、図３に説明されている方法はさらに、以下の段階を含んでよい。
（３４）干渉測定情報若しくは測定結果および／または第１スケジューリング情報に基づき第１基地局が決定した第２スケジューリング情報を第１ＵＥが受信する段階。
【０１８１】
第１基地局は、干渉測定情報若しくは測定結果および／または第１スケジューリング情報に基づき、第１ＵＥに関して意図された第２スケジューリング情報を決定してよい。第２スケジューリング情報は、ダウンリンクスケジューリング情報、第２の所定のスケジューリング情報、または同様のものであってよい。
【０１８２】
オプションで、図３に説明されている方法はさらに、以下の段階を含んでよい。
（３５）第１ＵＥが、第２スケジューリング情報に基づき第２ＵＥからの信号干渉を除去または抑制する段階。
【０１８３】
オプションで、図３に説明されている方法はさらに、以下の段階を含んでよい。
（３６）第１ＵＥが、第１ＵＥの干渉除去機能を第１基地局へ送信する段階。
【０１８４】
これに対応して、干渉測定情報若しくは測定結果および／または第１スケジューリング情報に基づき第１基地局が決定した第２スケジューリング情報を第１ＵＥが受信する段階（３４）の具体的な実施例は、
干渉測定情報または測定結果と、第１スケジューリング情報と、第１ＵＥの干渉除去機能とのうち少なくとも１つに基づき第１基地局が決定した第２スケジューリング情報を第１ＵＥが受信することであってよい。
【０１８５】
本願発明の本実施形態において、図３に説明されている方法を実行することによりＵＥは、基地局が伝送した参照信号をフレキシブルな周波数帯域で受信出来、これにより、フレキシブル複信システムにおいて近接するセル間の参照信号同士の干渉を効果的に低減出来る。
【０１８６】
図１に示されている適用シナリオに基づき、本願発明の実施形態は他の参照信号伝送方法を開示する。図４を参照すると、図４は、本願発明の実施形態で開示される、他の参照信号伝送方法の概略的フローチャートである。参照信号伝送方法は、第２基地局の視点から説明される。参照信号伝送方法はフレキシブル複信システムに適用されてよい。図４に示されているように、参照信号伝送方法は以下の段階を含んでよい。
【０１８７】
４０１．第２基地局がターゲット周波数帯域で少なくとも１つのターゲットサブフレームを決定する。
【０１８８】
本願発明の本実施形態において、ターゲット周波数帯域は、アップリンクおよびダウンリンク伝送方向が設定可能な周波数帯域であり、すなわち、フレキシブルな周波数帯域である。少なくとも１つのターゲットサブフレームで第２基地局および近接する第１基地局のアップリンク−ダウンリンクタイムスロット設定および／または伝送方向は異なる。ターゲット周波数帯域は搬送波であってよく、または搬送波上の部分的な周波数帯域であってよい。
【０１８９】
４０２．第１基地局が送信した第１参照信号を第２基地局が受信する。
【０１９０】
本願発明の本実施形態において、第１参照信号は、第１基地局の下にあるＵＥのために少なくとも１つのターゲットサブフレームで第１基地局が設定する参照信号である。第１参照信号は、復調参照信号ＤＭＲＳと、サウンディング参照信号ＳＲＳと、所定のシーケンスと、第１の所定の参照信号と、これらと同様ものとのうち少なくとも１つを含んでよいがこれらに限定されるものではない。具体的には、Ｘ２インタフェースを用いて第１基地局が送信した第１参照信号を第２基地局が受信してよい。
【０１９１】
４０３．第２基地局が第１参照信号に基づき第２基地局の第２参照信号を設定する。
【０１９２】
本願発明の本実施形態において、第２参照信号は、アップリンクＤＭＲＳと、アップリンクＳＲＳと、第２の所定の参照信号と、これらと同様のものとのうち少なくとも１つを含んでよいがこれらに限定されるものではない。第２基地局が第１参照信号に基づき第２参照信号を設定することの具体的な実施例は、第１参照信号と直交するよう第２参照信号を設定することである。
【０１９３】
オプションの実施例において、図４に説明されている方法はさらに、以下の段階を含んでよい。
（４０）第２基地局が第２参照信号を第１基地局へ送信する段階であり、これにより、第１基地局が、第２参照信号に基づき第１参照信号を更新する、段階。
または、
（４１）第２基地局が第２参照信号の設定情報を第１基地局へ送信する段階であり、これにより、第１基地局が、第２参照信号の設定情報に基づき第１参照信号を更新する、段階。
【０１９４】
第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号と、これらと同様のものとのうち少なくとも１つを含んでよいがこれらに限定されるものではない。
【０１９５】
オプションの実施例において、図４に説明されている方法はさらに、以下の段階を含んでよい。
（４２）第２基地局が少なくとも１つのターゲットサブフレームから測定サブフレームを決定する。
【０１９６】
測定サブフレームは、干渉測定が第１ＵＥと第２ＵＥとの間で実行されるサブフレームであり、第１ＵＥは第１基地局の下にあるＵＥであり、第１基地局の下にあるエッジＵＥであってよく、第２ＵＥは第２基地局の下にあるＵＥであり、第１ＵＥに対する干渉を引き起こすＵＥであり、第２基地局の下にあるエッジＵＥであってよい。
【０１９７】
オプションで、第２基地局が第２ＵＥを決定することの具体的な実施例は、ＲＳＲＰパラメータと、ＲＳＳＩパラメータと、ＲＳＲＱパラメータとのうち少なくとも１つパラメータに基づき第２基地局が第２ＵＥを決定することであってよい。
【０１９８】
オプションで、第２基地局が少なくとも１つのターゲットサブフレームから測定サブフレームを決定する段階（４２）の具体的な実施例は、以下の段階を含んでよい。
（４２ａ）第２基地局が、オペレーションアドミニストレーションおよびメンテナンスＯＡＭを介して少なくとも１つのターゲットサブフレームから測定サブフレームを決定する段階。
または、
（４２ｂ）第２基地局が、第１基地局とのネゴシエーションを介して少なくとも１つのターゲットサブフレームから測定サブフレームを決定する段階。
または、
（４２ｃ）第１基地局が送信した測定サブフレームを第２基地局が受信する段階。
【０１９９】
オプションの実施例において、図４に説明されている方法はさらに、以下の段階を含んでよい。
（４３）第２基地局がターゲット設定情報を第２ＵＥへ送信する段階。
【０２００】
ターゲット設定情報は、測定サブフレーム、および／または第２ＵＥに関して意図された第１スケジューリング情報を示すのに用いられ、これにより、第２ＵＥは測定サブフレームで第１信号を送信する。第１信号は、第１ＵＥと第２ＵＥとの間の干渉を測定するよう第１ＵＥに命令するのに用いられる。第１スケジューリング情報はアップリンクスケジューリング情報または第１の所定のスケジューリング情報であってよい。第１スケジューリング情報は、第２ＵＥのアイデンティティと、第２ＵＥが占有する物理リソースブロックＰＲＢのアイデンティティと、第２ＵＥの伝送電力と、これらと同様のものとのうち少なくとも１つを含んでよいがこれらに限定されるものではない。第１スケジューリング情報は、第２基地局により、第２ＵＥへ送信されてよく、または第２ＵＥにより予め設定されてよい。第１信号は、ＤＭＲＳと、ＳＲＳと、シーケンスコードと、プリアンブルと、第３の所定の参照信号と、これらと同様のものとのうち少なくとも１つを含んでよいがこれらに限定されるものではない。
【０２０１】
具体的には、第２基地局は、シグナリングを用いてターゲット設定情報を第２ＵＥへ送信する。シグナリングは、無線リソース制御ＲＲＣシグナリングと、メディアアクセス制御ＭＡＣシグナリングと、物理層シグナリングと、これらと同様のものとのうち１つを含んでよいがこれらに限定されるものではない。
【０２０２】
オプションで、図４に説明されている方法はさらに、以下の段階を含んでよい。
（４４）第２基地局が、第１スケジューリング情報を第１基地局へ送信する段階であり、これにより、第１基地局は、第１スケジューリング情報に基づき、第１ＵＥに関して意図された第２スケジューリング情報を決定し、第２スケジューリング情報は、第２ＵＥからの信号干渉を除去または抑制するよう第１ＵＥに命令するのに用いられる、段階。
【０２０３】
第２スケジューリング情報は、ダウンリンクスケジューリング情報、第２の所定のスケジューリング情報、または同様のものであってよい。
【０２０４】
本願発明の本実施形態において、図４に説明されている方法を実行することにより、基地局が、フレキシブルな周波数帯域で近接する基地局が設定したダウンリンク参照信号を受信出来、ダウンリンク参照信号に基づき基地局のアップリンク参照信号を設定出来、これにより、フレキシブル複信システムにおいて近接するセル間の参照信号同士の干渉を効果的に低減出来る。
【０２０５】
図１に示されている適用シナリオに基づき、本願発明の実施形態はさらに他の参照信号伝送方法を開示する。図５を参照すると、図５は、本願発明の実施形態で開示される、さらに他の参照信号伝送方法の概略的フローチャートである。参照信号伝送方法は、第２ＵＥの視点から説明される。参照信号伝送方法は、フレキシブル複信システムに適用されてよい。図５に示されているように、参照信号伝送方法は以下の段階を含んでよい。
【０２０６】
５０１．第２基地局が送信したターゲット設定情報を第２ユーザ機器ＵＥが受信する。
【０２０７】
本願発明の本実施形態において、ターゲット設定情報は、測定サブフレーム、および／または第２ＵＥの第１スケジューリング情報を示すのに用いられてよく、測定サブフレームは、干渉測定が第１ＵＥと第２ＵＥとの間で実行されるサブフレームであり、第２基地局は第２ＵＥが属する基地局であり、第２ＵＥは第２基地局のエッジＵＥであってよく、第１ＵＥは、第２基地局に近接する第１基地局の下にあるＵＥであり、第２ＵＥに対する干渉を引き起こすＵＥであり、第１ＵＥは第１基地局のエッジＵＥであってよい。
【０２０８】
本願発明の本実施形態において、第１スケジューリング情報は、アップリンクスケジューリング情報、第１の所定のスケジューリング情報、または同様のものであってよい。第１スケジューリング情報は、第２ＵＥのアイデンティティと、第２ＵＥが占有する物理リソースブロックＰＲＢのアイデンティティと、第２ＵＥの伝送電力と、これらと同様のものとのうち少なくとも１つを含んでよいがこれらに限定されるものではない。第１スケジューリング情報は、第２基地局により、第２ＵＥへ送信されてよく、または第２ＵＥにより予め設定されてよい。
【０２０９】
具体的には、シグナリングを用いて第２基地局が送信したターゲット設定情報を第２ＵＥが受信してよい。シグナリングは、無線リソース制御ＲＲＣシグナリングと、メディアアクセス制御ＭＡＣシグナリングと、物理層シグナリングと、これらと同様のものとのうち１つを含んでよいがこれらに限定されるものではない。
【０２１０】
オプションの実施例において、図５に説明されている方法はさらに、以下の段階を含んでよい。
（５０）第２ＵＥが、第１スケジューリング情報に基づき測定サブフレームで第１信号を送信する。
【０２１１】
第１信号は、第１ＵＥと第２ＵＥとの間の干渉を測定するよう第１ＵＥに命令するのに用いられてよい。第１信号は、復調参照信号ＤＭＲＳと、復調参照信号ＳＲＳと、シーケンスコードと、プリアンブルと、第３の所定の参照信号と、これらと同様のものとのうち少なくとも１つを含んでよいがこれらに限定されるものではない。
【０２１２】
本願発明の本実施形態において、図５に説明されている方法を実行することによりＵＥは、基地局が送信した設定情報を受信出来、これにより、ＵＥは、測定サブフレームで信号を送信出来、近接するＵＥは、その信号により引き起こされる干渉を測定出来、これにより、近接するセル間の参照信号同士の干渉を効果的に低減出来る。
【０２１３】
図１に示されている適用シナリオに基づき、本願発明の実施形態は基地局を開示する。図６を参照すると、図６は、本願発明の実施形態で開示される基地局の概略構造図である。基地局は、本願発明の実施形態で開示される参照信号伝送方法を実行するよう構成される。基地局は、前述の実施形態に関わっている第１基地局である。図６に示されているように、基地局は、
ターゲット周波数帯域で少なくとも１つのターゲットサブフレームを決定するよう構成される決定ユニット６０１であり、ターゲット周波数帯域は、アップリンクおよびダウンリンク伝送方向が設定可能である周波数帯域であり、少なくとも１つのターゲットサブフレームにおける基地局および近接する第２基地局のアップリンク−ダウンリンクタイムスロット設定および／または伝送方向は異なる、決定ユニット６０１と、
少なくとも１つのターゲットサブフレームで第１参照信号を第１ＵＥへ送信するよう構成される送信ユニット６０２であり、第１ＵＥは基地局の下にあるＵＥである、送信ユニット６０２と
を含んでよい。
【０２１４】
本願発明の本実施形態において、第１参照信号は、復調参照信号ＤＭＲＳと、サウンディング参照信号ＳＲＳと、第１の所定の参照信号と、これらと同様ものとのうち少なくとも１つを含んでよいがこれらに限定されるものではない。
【０２１５】
図７をさらに参照すると、図７は、本願発明の実施形態で開示される他の基地局の概略構造図である。基地局は、本願発明の実施形態で開示される参照信号伝送方法を実行するよう構成される。図７に示されている基地局は、図６に示されている基地局の更なる最適化により得られる。図６に示されている基地局と比較して、図７に示されている基地局はさらに、
送信ユニット６０２が少なくとも１つのターゲットサブフレームで第１参照信号を第１ユーザ機器ＵＥへ送信する前に、第２基地局が送信した第２参照信号を受信するよう、および第２参照信号に基づき第１参照信号を設定するよう構成される、または第２参照信号の設定情報であり、第２基地局が送信した設定情報を受信するよう、および第２参照信号の設定情報に基づき第１参照信号を設定するよう構成される受信ユニット６０３をさらに含んでよい。
【０２１６】
第２参照信号は、第２基地局の下にあるＵＥのために少なくとも１つのターゲットサブフレームで第２基地局が設定する参照信号である。第２参照信号は、アップリンクＤＭＲＳと、アップリンクＳＲＳと、第２の所定の参照信号とのうち少なくとも１つを含んでよいがこれらに限定されるものではない。  第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含んでよいがこれらに限定されるものではない。
【０２１７】
本願発明の本実施形態において、第１参照信号は第２参照信号と直交するよう設定される。
【０２１８】
オプションの実施例において、送信ユニット６０２はさらに、第１参照信号を第２基地局へ送信することであり、これにより、第２基地局が、第１参照信号に基づき第２参照信号を更新する、ことを行うよう構成されてよく、または、第１参照信号の設定情報を第２基地局に送信することであり、これにより、第２基地局が、第１参照信号の設定情報に基づき第２参照信号を更新する、ことを行うよう構成されてよい。
【０２１９】
第１参照信号の設定情報は、第１参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号と、これらと同様のものとのうち少なくとも１つを含んでよいがこれらに限定されるものではない。
【０２２０】
本願発明の本実施形態において、決定ユニット６０１はさらに、少なくとも１つのターゲットサブフレームから測定サブフレームを決定するよう構成されてよい。測定サブフレームは、干渉測定が第１ＵＥと第２ＵＥとの間で実行されるサブフレームである。第２ＵＥは、第２基地局の下にあるＵＥであり、第１ＵＥに対する干渉を引き起こすＵＥである。
【０２２１】
オプションで、決定ユニット６０１が少なくとも１つのターゲットサブフレームから測定サブフレームを決定することの具体的な実施例は、
決定ユニット６０１が、オペレーションアドミニストレーションおよびメンテナンスＯＡＭを介して少なくとも１つのターゲットサブフレームから測定サブフレームを決定する方式、
または、
決定ユニット６０１が、第２基地局とのネゴシエーションを介して少なくとも１つのターゲットサブフレームから測定サブフレームを決定する方式、
または、
第２基地局が送信した測定サブフレームを決定ユニット６０１が受信する方式
であってよい。
【０２２２】
オプションで、受信ユニット６０３はさらに、第２ＵＥに関して意図された第１スケジューリング情報であり、第２基地局が送信した第１スケジューリング情報を受信するよう構成されてよい。
【０２２３】
送信ユニット６０２はさらに、ターゲット設定情報を第１ＵＥへ送信するよう構成されてよい。ターゲット設定情報は、測定サブフレームおよび／または第１スケジューリング情報を示すのに用いられ、これにより、第１ＵＥが、第２ＵＥが伝送した第１信号に対する測定を測定サブフレームで実行して測定結果を取得し、測定結果に基づき干渉測定情報を決定する。
【０２２４】
具体的には、送信ユニット６０２は、シグナリングを用いてターゲット設定情報を第１ＵＥへ送信してよい。シグナリングは、無線リソース制御ＲＲＣシグナリングと、メディアアクセス制御ＭＡＣシグナリングと、物理層シグナリングと、これらと同様のものとのうち１つを含んでよい。
【０２２５】
第１スケジューリング情報はアップリンクスケジューリング情報または第１の所定のスケジューリング情報である。第１スケジューリング情報は、第２ＵＥのアイデンティティと、第２ＵＥが占有する物理リソースブロックＰＲＢのアイデンティティと、第２ＵＥの伝送電力と、これらと同様のものとのうち少なくとも１つを含んでよいがこれらに限定されるものではない。第１信号は、ＤＭＲＳと、ＳＲＳと、シーケンスコードと、プリアンブルと、第３の所定の参照信号と、これらと同様のものとのうち少なくとも１つを含んでよいがこれらに限定されるものではない。
【０２２６】
受信ユニット６０３はさらに、第１ＵＥが送信した干渉測定情報または測定結果を受信するよう構成されてよい。
【０２２７】
決定ユニット６０１はさらに、干渉測定情報若しくは測定結果および／または第１スケジューリング情報に基づき第２スケジューリング情報を決定すること、および第２スケジューリング情報を第１ＵＥへ送信することであり、これにより、第１ＵＥが、第２スケジューリング情報に基づき第２ＵＥからの信号干渉を除去または抑制する、ことを行うよう構成されてよい。
【０２２８】
第２スケジューリング情報は、ダウンリンクスケジューリング情報または第２の所定のスケジューリング情報であってよい。干渉測定情報は干渉行列であってよい。
【０２２９】
オプションの実施例において、図７に示されている基地局はさらに、
第１ＵＥの干渉除去機能を取得するよう構成される取得ユニット６０４を含んでよい。
【０２３０】
決定ユニット６０１が、干渉測定情報若しくは測定結果および／または第１スケジューリング情報に基づき第２スケジューリング情報を決定することの具体的な実施例は、
決定ユニット６０１が、干渉測定情報または測定結果と、第１スケジューリング情報と、第１ＵＥの干渉除去機能とのうち少なくとも１つに基づき第２スケジューリング情報を決定することであってよい。
【０２３１】
本願発明の本実施形態において、図６および図７に示されている基地局を実現することにより、基地局は参照信号をフレキシブルな周波数帯域で伝送出来、これにより、フレキシブル複信システムにおいて近接するセル間の参照信号同士の干渉を効果的に低減出来る。
【０２３２】
図１に示されている適用シナリオに基づき、本願発明の実施形態は他の基地局を開示する。図８を参照すると、図８は、本願発明の実施形態で開示される他の基地局の概略構造図である。基地局は、本願発明の実施形態で開示される参照信号伝送方法を実行するよう構成される。基地局は、前述の実施形態に関わっている第１基地局である。図８に示されているように、基地局８００は、例えばＣＰＵ（Ｃｅｎｔｒａｌ  Ｐｒｏｃｅｓｓｉｎｇ  Ｕｎｉｔ，中央演算処理装置）である少なくとも１つのプロセッサ８０１、少なくとも１つの入力装置８０２、少なくとも１つの出力装置８０３、およびメモリ８０４などの構成要素を含んでよい。これら構成要素は、１または複数のバス８０５を用いて通信のために接続されてよい。図８に示されている基地局の構造が本願発明の本実施形態に対する制限を何ら構成しないことを当業者は理解されよう。基地局はバス型構造を有してよく、またはスター型構造を有してよい。基地局はさらに、図に示されているものより多くの、またはそれらより少ない構成要素を含んでよく、または基地局において、一部の構成要素が組み合わせられ、またはそれら構成要素は異なるように配される。
【０２３３】
本願発明の本実施形態において、入力装置８０２は、有線インタフェース、無線インタフェース、または同様のものを含んでよく、アップリンク方向にＵＥが伝送したデータを受信するよう構成されてよく、近接する基地局が伝送した情報を受信するよう構成されてよく、または同様の構成を有してよい。出力装置８０３は、有線インタフェース、無線インタフェース、または同様のものを含んでよく、ダウンリンク方向にＵＥへ信号を伝送するよう構成されてよく、近接する基地局に信号を送信するよう構成されてよく、または同様の構成を有してよい。
【０２３４】
本願発明の本実施形態において、メモリ８０４は高速ＲＡＭメモリであってよく、または、例えば少なくとも１つの磁気ディスクメモリである不揮発性メモリ（ｎｏｎｖｏｌａｔｉｌｅ  ｍｅｍｏｒｙ）であってよい。オプションで、メモリ８０４はさらに、プロセッサ８０１から遠く離れて配置された少なくとも１つの記憶装置であってよい。図８に示されているように、メモリ８０４は、アプリケーションプログラム、データ、および同様のものを含んでよい。これは本願発明の本実施形態において限定されるものではない。
【０２３５】
図８に示されている基地局において、プロセッサ８０１は、メモリ８０４に格納されているアプリケーションプログラムを呼び出して以下のオペレーションを実行するよう構成されてよい。
ターゲット周波数帯域で少なくとも１つのターゲットサブフレームを決定するオペレーションであり、ターゲット周波数帯域は、アップリンクおよびダウンリンク伝送方向が設定可能である周波数帯域であり、少なくとも１つのターゲットサブフレームで基地局８００および近接する第２基地局のアップリンク−ダウンリンクタイムスロット設定および／または伝送方向は異なる、オペレーション。
および、
少なくとも１つのターゲットサブフレームで第１参照信号を第１ＵＥへ送信するよう出力装置８０３をトリガするオペレーションであり、第１ＵＥは基地局８００の下にあるＵＥである、オペレーション。
【０２３６】
第１参照信号は、復調参照信号ＤＭＲＳと、サウンディング参照信号ＳＲＳと、第１の所定の参照信号とのうち少なくとも１つを含んでよいがこれらに限定されるものではない。
【０２３７】
具体的には、図８に示されている基地局は、本願発明の実施形態における図２に説明されている方法の処理のうち一部または全てを実現するよう構成されてよい。
【０２３８】
図１に示されている適用シナリオに基づき、本願発明の実施形態はＵＥを開示する。図９を参照すると、図９は、本願発明の実施形態で開示されるＵＥの概略構造図である。ＵＥは、本願発明の実施形態で開示される参照信号伝送方法を実行するよう構成される。ＵＥは、前述の実施形態に関わっている第１ＵＥである。図９に示されているように、ＵＥは、
ターゲット周波数帯域で少なくとも１つのターゲットサブフレームを取得するよう構成される取得ユニット９０１であり、ターゲット周波数帯域は、アップリンクおよびダウンリンク伝送方向が設定可能である周波数帯域であり、少なくとも１つのターゲットサブフレームにおける第１基地局および近接する第２基地局のアップリンク−ダウンリンクタイムスロット設定および／または伝送方向は異なり、第１基地局はＵＥが属する基地局である、取得ユニット９０１と、
第１基地局が送信した第１参照信号を少なくとも１つのターゲットサブフレームで受信するよう構成される受信ユニット９０２と
を含んでよい。
【０２３９】
第１参照信号は、復調参照信号ＤＭＲＳと、サウンディング参照信号ＳＲＳと、第１の所定の参照信号と、これらと同様のものとのうち少なくとも１つを含んでよいがこれらに限定されるものではない。
【０２４０】
オプションで、受信ユニット９０２はさらに、第１基地局が送信したターゲット設定情報を受信するよう構成されてよい。ターゲット設定情報は、測定サブフレーム、および／または第２ＵＥに関して意図された第１スケジューリング情報を示すのに用いられる。測定サブフレームは、干渉測定がＵＥと第２ＵＥとの間で実行されるサブフレームである。第２ＵＥは、第２基地局の下にあるＵＥであり、ＵＥに対する干渉を引き起こすＵＥである。第１スケジューリング情報は、第２基地局により第１基地局へ送信される。
【０２４１】
オプションで、受信ユニット９０２は、シグナリングを用いて第１基地局が送信したターゲット設定情報を受信してよい。シグナリングは、無線リソース制御ＲＲＣシグナリングと、メディアアクセス制御ＭＡＣシグナリングと、物理層シグナリングと、これらと同様のものとのうち１つを含んでよいがこれらに限定されるものではない。
【０２４２】
第１スケジューリング情報はアップリンクスケジューリング情報または第１の所定のスケジューリング情報を含んでよい。第１スケジューリング情報は、第２ＵＥのアイデンティティと、第２ＵＥが占有する物理リソースブロックＰＲＢのアイデンティティと、第２ＵＥの伝送電力と、これらと同様のものとのうち少なくとも１つを含んでよいがこれらに限定されるものではない。
【０２４３】
図１０をさらに参照すると、図１０は、本願発明の実施形態で開示される他のＵＥの概略構造図である。ＵＥは、本願発明の実施形態で開示される参照信号伝送方法を実行するよう構成される。図１０に示されているＵＥは、図９に示されているＵＥの更なる最適化により得られる。図９に示されているＵＥと比較して、図１０に示されているＵＥは、
第２ＵＥが伝送した第１信号に対する測定を測定サブフレームで実行して測定結果を取得するよう構成される測定ユニット９０３をさらに含んでよい。
【０２４４】
第１信号は、ＤＭＲＳと、ＳＲＳと、シーケンスコードと、プリアンブルと、第３の所定の参照信号とのうち少なくとも１つを含んでよいがこれらに限定されるものではない。
【０２４５】
これに対応して、図１０に示されているＵＥは、
測定結果に基づき干渉測定情報を決定するよう構成される決定ユニット９０４と、
干渉測定情報または測定結果を第１基地局へ送信するよう構成される送信ユニット９０５と
をさらに含んでよい。
【０２４６】
干渉測定情報は干渉行列であってよい。
【０２４７】
受信ユニット９０２はさらに、干渉測定情報若しくは測定結果および／または第１スケジューリング情報に基づき第１基地局が決定した第２スケジューリング情報を受信するよう構成されてよい。
【０２４８】
これに対応して、図１０に示されているＵＥは、第２スケジューリング情報に基づき第２ＵＥからの信号干渉を除去または抑制するよう構成される干渉抑制ユニット９０６をさらに含んでよい。
【０２４９】
第２スケジューリング情報はダウンリンクスケジューリング情報または第２の所定のスケジューリング情報であってよい。
【０２５０】
送信ユニット９０５はさらに、ＵＥの干渉除去機能を第１基地局へ送信するよう構成されてよい。
【０２５１】
これに対応して、干渉測定情報若しくは測定結果および／または第１スケジューリング情報に基づき第１基地局が決定した第２スケジューリング情報を受信ユニット９０２が受信することの具体的な実施例は、
干渉測定情報または測定結果と、第１スケジューリング情報と、第１ＵＥの干渉除去機能とのうち少なくとも１つに基づき第１基地局が決定した第２スケジューリング情報を受信ユニット９０５が受信することであってよい。
【０２５２】
本願発明の本実施形態において、図９および図１０に示されているＵＥを実現することにより、ＵＥは、基地局が伝送した参照信号をフレキシブルな周波数帯域で受信出来、これにより、フレキシブル複信システムにおいて近接するセル間の参照信号同士の干渉を効果的に低減出来る。
【０２５３】
図１に示されている適用シナリオに基づき、本願発明の実施形態は他のＵＥを開示する。図１１を参照すると、図１１は、本願発明の実施形態で開示される他のＵＥの概略構造図である。ＵＥは、本願発明の実施形態で開示される参照信号伝送方法を実行するよう構成される。ＵＥは、前述の実施形態に関わっている第１ＵＥである。図１１に示されているように、ＵＥ１１００は、例えばＣＰＵである少なくとも１つのプロセッサ１１０１、少なくとも１つの入力装置１１０２、少なくとも１つの出力装置１１０３、およびメモリ１１０４などの構成要素を含んでよい。これら構成要素は、１または複数のバス１１０５を用いて通信のために接続されてよい。図１１に示されているＵＥの構造が本願発明の本実施形態に対する制限を何ら構成しないことを当業者は理解されよう。ＵＥはバス型構造を有してよく、またはスター型構造を有してよい。ＵＥは、図に示されているものより多くの、またはそれらより少ない構成要素をさらに含んでよく、またはＵＥにおいて、一部の構成要素が組み合わせられ、またはそれら構成要素は異なるように配される。
【０２５４】
本願発明の本実施形態において、入力装置１１０２は、有線インタフェース、無線インタフェース、または同様のものを含んでよく、ダウンリンク方向に基地局が送信する信号を受信するよう構成されてよく、および同様の構成を有してよい。出力装置１１０３は、有線インタフェース、無線インタフェース、または同様のものを含んでよく、アップリンク方向に基地局へデータを伝送するよう構成されてよく、および同様の構成を有してよい。
【０２５５】
本願発明の本実施形態において、メモリ１１０４は高速ＲＡＭメモリであってよく、または、例えば少なくとも１つの磁気ディスクメモリである不揮発性メモリ（ｎｏｎｖｏｌａｔｉｌｅ  ｍｅｍｏｒｙ）であってよい。オプションで、メモリ１１０４はさらに、プロセッサ１１０１から遠く離れて配置された少なくとも１つの記憶装置であってよい。図１１に示されているように、コンピュータ記憶媒体としてメモリ１１０４は、オペレーティングシステムと、アプリケーションプログラムと、データと、これらと同様のものとを含んでよい。これは本願発明の本実施形態において限定されるものではない。
【０２５６】
図１１に示されているＵＥにおいて、プロセッサ１１０１は、メモリ１１０４に格納されているアプリケーションプログラムを呼び出して、以下のオペレーションを実行するよう構成されてよい。
ターゲット周波数帯域で少なくとも１つのターゲットサブフレームを取得するオペレーションであり、ターゲット周波数帯域は、アップリンクおよびダウンリンク伝送方向が設定可能である周波数帯域であり、少なくとも１つのターゲットサブフレームにおける第１基地局および近接する第２基地局のアップリンク−ダウンリンクタイムスロット設定および／または伝送方向は異なり、第１基地局はＵＥ１１００が属する基地局である、オペレーション、および
第１基地局が送信した第１参照信号を少なくとも１つのターゲットサブフレームで受信するよう入力装置１１０２をトリガするオペレーション。
【０２５７】
第１参照信号は、復調参照信号ＤＭＲＳと、サウンディング参照信号ＳＲＳと、第１の所定の参照信号とのうち少なくとも１つを含んでよいがこれらに限定されるものではない。
【０２５８】
具体的には、図１１に示されているＵＥは、本願発明の実施形態における図３に説明されている方法の処理のうち一部または全てを実現するよう構成されてよい。
【０２５９】
図１に示されている適用シナリオに基づき、本願発明の実施形態は他の基地局を開示する。図１２を参照すると、図１２は、本願発明の実施形態で開示される他の基地局の概略構造図である。基地局は、本願発明の実施形態で開示される参照信号伝送方法を実行するよう構成される。基地局は、前述の実施形態に関わっている第２基地局である。図１２に示されているように、基地局は、
ターゲット周波数帯域で少なくとも１つのターゲットサブフレームを決定するよう構成される決定ユニット１２０１であり、ターゲット周波数帯域は、アップリンクおよびダウンリンク伝送方向が設定可能である周波数帯域であり、少なくとも１つのターゲットサブフレームにおける基地局および近接する第１基地局のアップリンク−ダウンリンクタイムスロット設定および／または伝送方向は異なる、決定ユニット１２０１と、
第１基地局が送信した第１参照信号を受信するよう構成される受信ユニット１２０２であり、第１参照信号は、第１基地局の下にあるＵＥのために少なくとも１つのターゲットサブフレームで第１基地局が設定する参照信号である、受信ユニット１２０２と、
第１参照信号に基づき基地局の第２参照信号を設定するよう構成される設定ユニット１２０３と
を含んでよい。
【０２６０】
第１参照信号は、復調参照信号ＤＭＲＳと、サウンディング参照信号ＳＲＳと、第１の所定の参照信号とのうち少なくとも１つを含んでよいがこれらに限定されるものではない。第２参照信号は、アップリンクＤＭＲＳと、アップリンクＳＲＳと、第２の所定の参照信号とのうち少なくとも１つを含んでよいがこれらに限定されるものではない。第２参照信号は、第１参照信号と直交するよう設定される。
【０２６１】
図１３をさらに参照すると、図１３は、本願発明の実施形態で開示される他の基地局の概略構造図である。基地局は、本願発明の実施形態で開示される参照信号伝送方法を実行するよう構成される。図１３に示されている基地局は、図１２に示されている基地局の更なる最適化により得られる。図１２に示されている基地局と比較して、図１３に示されている基地局は、第２参照信号を第１基地局へ送信することであり、これにより、第１基地局は、第２参照信号に基づき第１参照信号を更新する、こと、
または、
第２参照信号の設定情報を第１基地局へ送信することであり、これにより、第１基地局は、第２参照信号の設定情報に基づき第１参照信号を更新する、こと
を行うよう構成される送信ユニット１２０４をさらに含んでよい。
【０２６２】
第２参照信号の設定情報は、第２参照信号のシーケンス長と、巡回シフトと、ダウンリンク制御情報ＤＣＩのフォーマットと、セルアイデンティティと、Ｚａｄｏｆｆ−Ｃｈｕシーケンスの初期値と、直交符号とのうち少なくとも１つを含んでよいがこれらに限定されるものではない。
【０２６３】
オプションで、決定ユニット１２０１はさらに、少なくとも１つのターゲットサブフレームから測定サブフレームを決定するよう構成されてよい。測定サブフレームは、干渉測定が第１ＵＥと第２ＵＥとの間で実行されるサブフレームである。第１ＵＥは、第１基地局の下にあるＵＥである。第２ＵＥは、基地局の下にあるＵＥであり、第１ＵＥに対する干渉を引き起こすＵＥである。
【０２６４】
オプションで、決定ユニット１２０１が少なくとも１つのターゲットサブフレームから測定サブフレームを決定することの具体的な実施例は、
決定ユニット１２０１が、オペレーションアドミニストレーションおよびメンテナンスＯＡＭを介して少なくとも１つのターゲットサブフレームから測定サブフレームを決定すること、
または、
決定ユニット１２０１が、第１基地局とのネゴシエーションを介して少なくとも１つのターゲットサブフレームから測定サブフレームを決定すること、
または、
第１基地局が送信した測定サブフレームを決定ユニット１２０１が受信すること
であってよい。
【０２６５】
送信ユニット１２０４はさらに、ターゲット設定情報を第２ＵＥへ送信するよう構成されてよい。ターゲット設定情報は、測定サブフレーム、および／または第２ＵＥに関して意図された第１スケジューリング情報を示すのに用いられ、これにより、第２ＵＥは測定サブフレームで第１信号を送信する。第１信号は、第１ＵＥと第２ＵＥとの間の干渉を測定するよう第１ＵＥに命令するのに用いられる。
【０２６６】
第１スケジューリング情報はアップリンクスケジューリング情報または第１の所定のスケジューリング情報であってよい。第１スケジューリング情報は、第２ＵＥのアイデンティティと、第２ＵＥが占有する物理リソースブロックＰＲＢのアイデンティティと、第２ＵＥの伝送電力とのうち少なくとも１つを含んでよいがこれらに限定されるものではない。第１信号は、ＤＭＲＳと、ＳＲＳと、シーケンスコードと、プリアンブルと、第３の所定の参照信号とのうち少なくとも１つを含んでよいがこれらに限定されるものではない。
【０２６７】
具体的には、送信ユニット１２０４は、シグナリングを用いてターゲット設定情報を第２ＵＥへ送信してよい。シグナリングは、無線リソース制御ＲＲＣシグナリングと、メディアアクセス制御ＭＡＣシグナリングと、物理層シグナリングとのうち１つを含んでよいがこれらに限定されるものではない。
【０２６８】
オプションで、送信ユニット１２０４はさらに、第１スケジューリング情報を第１基地局へ送信することであり、これにより、第１基地局は、第１スケジューリング情報に基づき、第１ＵＥに関して意図された第２スケジューリング情報を決定する、ことを行うよう構成されてよい。第２スケジューリング情報は、第２ＵＥからの信号干渉を除去または抑制するよう第１ＵＥに命令するのに用いられる。
【０２６９】
第２スケジューリング情報は、ダウンリンクスケジューリング情報または第２の所定のスケジューリング情報であってよい。
【０２７０】
本願発明の本実施形態において、図１２および図１３に示されている基地局を実現することにより、基地局が、フレキシブルな周波数帯域で近接する基地局が設定したダウンリンク参照信号を受信出来、ダウンリンク参照信号に基づき基地局のアップリンク参照信号を設定出来、これにより、フレキシブル複信システムにおいて近接するセル間の参照信号同士の干渉を効果的に低減出来る。
【０２７１】
図１に示されている適用シナリオに基づき、本願発明の実施形態はさらに他の基地局を開示する。図１４を参照すると、図１４は、本願発明の実施形態で開示されるさらに他の基地局の概略構造図である。基地局は、本願発明の実施形態で開示される参照信号伝送方法を実行するよう構成される。基地局は、前述の実施形態に関わっている第２基地局である。図１４に示されているように、基地局１４００は、例えばＣＰＵである少なくとも１つのプロセッサ１４０１、少なくとも１つの入力装置１４０２、少なくとも１つの出力装置１４０３、およびメモリ１４０４などの構成要素を含んでよい。これら構成要素は、１または複数のバス１４０５を用いて通信のために接続されてよい。図１４に示されている基地局１４００の構造が本願発明の本実施形態に対する制限を何ら構成しないことを当業者は理解されよう。基地局はバス型構造を有してよく、またはスター型構造を有してよい。基地局はさらに、図に示されているものより多くの、またはそれらより少ない構成要素を含んでよく、または基地局において、一部の構成要素が組み合わせられ、またはそれら構成要素は異なるように配される。
【０２７２】
本願発明の本実施形態において、入力装置１４０２は、有線インタフェース、無線インタフェース、または同様のものを含んでよく、アップリンク方向にＵＥが伝送したデータを受信するよう構成されてよく、近接する基地局が伝送した情報を受信するよう構成されてよく、または同様の構成を有してよい。出力装置１４０３は、有線インタフェース、無線インタフェース、または同様のものを含んでよく、ダウンリンク方向にＵＥへ信号を伝送するよう構成されてよく、近接する基地局に信号を送信するよう構成されてよく、または同様の構成を有してよい。
【０２７３】
本願発明の本実施形態において、メモリ１４０４は高速ＲＡＭメモリであってよく、または、例えば少なくとも１つの磁気ディスクメモリである不揮発性メモリ（ｎｏｎｖｏｌａｔｉｌｅ  ｍｅｍｏｒｙ）であってよい。オプションで、メモリ１４０４はさらに、プロセッサ１４０１から遠く離れて配置された少なくとも１つの記憶装置であってよい。図１４に示されているように、メモリ１４０４は、アプリケーションプログラム、データ、および同様のものを含んでよい。これは本願発明の本実施形態において限定されるものではない。
【０２７４】
図１４に示されている基地局１４００において、プロセッサ１４０１は、メモリ１４０４に格納されているアプリケーションプログラムを呼び出して、以下のオペレーションを実行するよう構成されてよい。
ターゲット周波数帯域で少なくとも１つのターゲットサブフレームを決定するオペレーションであり、ターゲット周波数帯域は、アップリンクおよびダウンリンク伝送方向が設定可能である周波数帯域であり、少なくとも１つのターゲットサブフレームにおける基地局および近接する第１基地局のアップリンク−ダウンリンクタイムスロット設定および／または伝送方向は異なる、オペレーション、
第１基地局が送信した第１参照信号を受信するよう入力装置１４０２をトリガするオペレーションであり、第１参照信号は、第１基地局の下にあるＵＥのために少なくとも１つのターゲットサブフレームで第１基地局が設定する参照信号である、オペレーション、および
第１参照信号に基づき基地局の第２参照信号を設定するオペレーション。
【０２７５】
第１参照信号は、復調参照信号ＤＭＲＳと、サウンディング参照信号ＳＲＳと、第１の所定の参照信号とのうち少なくとも１つを含んでよいがこれらに限定されるものではない。第２参照信号は、アップリンクＤＭＲＳと、アップリンクＳＲＳと、第２の所定の参照信号とのうち少なくとも１つを含んでよいがこれらに限定されるものではない。第２参照信号は、第１参照信号と直交するよう設定される。
【０２７６】
具体的には、図１４に示されている基地局は、本願発明の実施形態における図４に説明されている方法の処理のうち一部または全てを実現するよう構成されてよい。
【０２７７】
図１に示されている適用シナリオに基づき、本願発明の実施形態は他のＵＥを開示する。図１５を参照すると、図１５は、本願発明の実施形態で開示される他のＵＥの概略構造図である。ＵＥは、本願発明の実施形態で開示される参照信号伝送方法を実行するよう構成される。ＵＥは、前述の実施形態に関わっている第２ＵＥである。図１５に示されているように、ＵＥは、
第２基地局が送信したターゲット設定情報を受信するよう構成される受信ユニット１５０１であり、ターゲット設定情報は、測定サブフレーム、および／またはＵＥの第１スケジューリング情報を示すのに用いられ、測定サブフレームは、干渉測定が第１ＵＥとＵＥとの間で実行されるサブフレームであり、第２基地局は、ＵＥが属する基地局であり、第１ＵＥは、第２基地局に近接する第１基地局の下にあるＵＥであり、ＵＥが干渉するＵＥである、受信ユニット１５０１を含んでよい。
【０２７８】
オプションで、受信ユニット１５０１は、シグナリングを用いて第２基地局が送信したターゲット設定情報を受信してよい。シグナリングは、無線リソース制御ＲＲＣシグナリングと、メディアアクセス制御ＭＡＣシグナリングと、物理層シグナリングと、これらと同様のものとのうち１つを含んでよいがこれらに限定されるものではない。
【０２７９】
図１６をさらに参照すると、図１６は、本願発明の実施形態で開示される他のＵＥの概略構造図である。ＵＥは、本願発明の実施形態で開示される参照信号伝送方法を実行するよう構成される。図１６に示されているＵＥは、図１５に示されているＵＥの更なる最適化により得られる。図１５に示されているＵＥと比較し、図１６に示されているＵＥは、
第１スケジューリング情報に基づき測定サブフレームで第１信号を送信することであり、第１信号は、第１ＵＥとＵＥとの間の干渉を測定するよう第１ＵＥに命令するのに用いられる、ことを行うよう構成される送信ユニット１５０２をさらに含んでよい。
【０２８０】
第１スケジューリング情報はアップリンクスケジューリング情報または第１の所定のスケジューリング情報であってよい。第１スケジューリング情報は、第２ＵＥのアイデンティティと、第２ＵＥが占有する物理リソースブロックＰＲＢのアイデンティティと、第２ＵＥの伝送電力と、これらと同様のものとのうち少なくとも１つを含んでよいがこれらに限定されるものではない。第１信号は、復調参照信号ＤＭＲＳと、復調参照信号ＳＲＳと、シーケンスコードと、プリアンブルと、第３の所定の参照信号とのうち少なくとも１つを含んでよいがこれらに限定されるものではない。
【０２８１】
本願発明の本実施形態において、図１５および図１６に示されているＵＥを実現することによりＵＥは、基地局が送信した設定情報を受信出来、これにより、ＵＥは、測定サブフレームで信号を送信出来、近接するＵＥは、その信号により引き起こされる干渉を測定出来、これにより、近接するセル間の参照信号同士の干渉を効果的に低減出来る。
【０２８２】
図１に示されている適用シナリオに基づき、本願発明の実施形態はさらに他のＵＥを開示する。図１７を参照すると、図１７は、本願発明の実施形態で開示されるさらに他のＵＥの概略構造図である。ＵＥは、本願発明の実施形態で開示される参照信号伝送方法を実行するよう構成される。ＵＥ１７００は、前述の実施形態に関わっている第２ＵＥである。図１７に示されているように、ＵＥ１７００は、例えばＣＰＵである少なくとも１つのプロセッサ１７０１、少なくとも１つの入力装置１７０２、少なくとも１つの出力装置１７０３、およびメモリ１７０４などの構成要素を含んでよい。これら構成要素は、１または複数のバス１７０５を用いて通信のために接続されてよい。図１７に示されているＵＥ１７００の構造が本願発明の本実施形態に対する制限を何ら構成しないことを当業者は理解されよう。ＵＥはバス型構造を有してよく、またはスター型構造を有してよい。ＵＥは、図に示されているものより多くの、またはそれらより少ない構成要素をさらに含んでよく、またはＵＥにおいて、一部の構成要素が組み合わせられ、またはそれら構成要素は異なるように配される。
【０２８３】
本願発明の本実施形態において、入力装置１７０２は、有線インタフェース、無線インタフェース、または同様のものを含んでよく、ダウンリンク方向に基地局が送信する信号を受信するよう構成されてよく、および同様の構成を有してよい。出力装置１７０３は、有線インタフェース、無線インタフェース、または同様のものを含んでよく、アップリンク方向に基地局へデータを伝送するよう構成されてよく、および同様の構成を有してよい。
【０２８４】
本願発明の本実施形態において、メモリ１７０４は高速ＲＡＭメモリであってよく、または、例えば少なくとも１つの磁気ディスクメモリである不揮発性メモリ（ｎｏｎｖｏｌａｔｉｌｅ  ｍｅｍｏｒｙ）であってよい。オプションで、メモリ１７０４はさらに、プロセッサ１７０１から遠く離れて配置された少なくとも１つの記憶装置であってよい。図１７に示されているように、コンピュータ記憶媒体としてメモリ１７０４は、オペレーティングシステムと、アプリケーションプログラムと、データと、これらと同様のものとを含んでよい。これは本願発明の本実施形態において限定されるものではない。
【０２８５】
図１７に示されているＵＥ１７００において、プロセッサ１７０１は、メモリ１７０４に格納されているアプリケーションプログラムを呼び出して以下のオペレーションを実行するよう構成されてよい。
第２基地局が送信したターゲット設定情報を受信するよう入力装置１７０２をトリガするオペレーションであり、ターゲット設定情報は、測定サブフレーム、および／またはＵＥ１７００の第１スケジューリング情報を示すのに用いられ、測定サブフレームは、干渉測定が第１ＵＥとＵＥ１７００との間で実行されるサブフレームであり、第２基地局は、ＵＥ１７００が属する基地局であり、第１ＵＥは、第２基地局に近接する第１基地局の下にあるＵＥであり、ＵＥ１７００が干渉するＵＥである、オペレーション。
【０２８６】
第１スケジューリング情報はアップリンクスケジューリング情報または第１の所定のスケジューリング情報であってよい。
【０２８７】
具体的には、図１７に示されているＵＥは、本願発明の実施形態における図５に説明されている方法の処理のうち一部または全てを実現するよう構成されてよい。
【０２８８】
図１に示されている適用シナリオに基づき、本願発明の実施形態は参照信号伝送システムを開示する。図１８を参照すると、図１８は、本願発明の実施形態で開示される参照信号伝送システムの概略構造図である。参照信号伝送システムは、第１基地局１８０１と、第２基地局１８０２と、第１ＵＥ１８０３と、第２ＵＥ１８０４とを含んでよい。第１ＵＥ１８０３は１つのＵＥであってよく、または複数のＵＥであってよい。第２ＵＥ１８０４は１つのＵＥであってよく、または複数のＵＥであってよい。参照信号伝送システムにおいて、第１基地局１８０１は、前述の実施形態において説明されている第１基地局と同じ構造および同じ機能を有しており、ここでは改めて説明されない。第２基地局１８０２は、前述の実施形態において説明されている第２基地局と同じ構造および同じ機能を有しており、ここでは改めて説明されない。第１ＵＥ１８０３は、前述の実施形態において説明されている第１ＵＥと同じ構造および同じ機能を有しており、ここでは改めて説明されない。第２ＵＥ１８０４は、前述の実施形態において説明されている第２ＵＥと同じ構造および同じ機能を有しており、ここでは改めて説明されない。
【０２８９】
一実施形態において、本願発明の本実施形態はさらに、コンピュータ記憶媒体を開示する。コンピュータ記憶媒体はコンピュータプログラムを格納する。コンピュータ記憶媒体内のコンピュータプログラムがコンピュータへと読み込まれた場合、そのコンピュータは、本願発明の実施形態で開示されるデータ伝送方法の全ての段階を実行出来る。
【０２９０】
本願発明の全ての実施形態におけるモジュールまたはサブモジュールが、例えばＣＰＵである汎用集積回路を用いて、またはＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ，特定用途向け集積回路）を用いて実現されてよい。
【０２９１】
説明を簡単にすべく、前述の方法の実施形態は一連の動作として表されていることに留意すべきである。しかしながら、本願発明によれば一部の段階が他の順序で、または同時に実行されてよいので、動作の説明されている順序に本願発明が限定されるものではないことを当業者は認識するはずである。加えて、本明細書に説明されている全ての実施形態が例示的な実施形態であり、関連する動作およびモジュールは本願発明にとって必ずしも必須であるわけではないことも当業者は認識するはずである。
【０２９２】
前述の実施形態において、各実施形態についての説明はそれぞれ焦点を有している。一実施形態において詳細に説明されない部分に関しては、他の実施形態における関連する説明が参照されてよい。
【０２９３】
実際の要求条件に基づき、本願発明の実施形態における方法の段階の順番は調整されてよく、一部の段階が組み合わせられてもよく、または取り除かれてもよい。
【０２９４】
本願発明の実施形態における基地局およびＵＥ内のユニットは、実際の要求条件に基づき、組み合わせられてよく、分割されてよく、または取り除かれてよい。
【０２９５】
実施形態における方法の段階のうち全てまたは一部は、関連するハードウェアにプログラムが命令することにより実現されてよいことを当業者は理解するであろう。プログラムは、コンピュータ可読記憶媒体に格納されてよい。記憶媒体は、フラッシュメモリ、リードオンリメモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、光ディスク、または同様のものを含んでよい。
【０２９６】
本願発明の実施形態において提供される参照信号伝送方法、並びに関連するデバイスおよびシステムは、上記にて詳細に説明されている。本願発明の原理および実施例が、具体的な例を用いて本明細書で説明されている。実施形態についての説明は単に、本願発明の方法および核となる思想の理解を促すべく提供されている。加えて、当業者は本願発明の思想に従って、具体的な実施例および適用範囲に変更を加えられる。したがって、本明細書の内容は、本願発明に対する制限としては解釈されないものとする。
【図１】
2019524023.tif 000003
【図２】
2019524023.tif 000004
【図３】
2019524023.tif 000005
【図４】
2019524023.tif 000006
【図５】
2019524023.tif 000007
【図６】
2019524023.tif 000008
【図７】
2019524023.tif 000009
【図８】
2019524023.tif 000010
【図９】
2019524023.tif 000011
【図１０】
2019524023.tif 000012
【図１１】
2019524023.tif 000013
【図１２】
2019524023.tif 000014
【図１３】
2019524023.tif 000015
【図１４】
2019524023.tif 000016
【図１５】
2019524023.tif 000017
【図１６】
2019524023.tif 000018
【図１７】
2019524023.tif 000019
【図１８】
2019524023.tif 000020
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
第１基地局により、ターゲット周波数帯域で少なくとも１つのターゲットサブフレームを決定する段階であり、前記ターゲット周波数帯域は、アップリンクおよびダウンリンク伝送方向が設定可能である周波数帯域であり、前記少なくとも１つのターゲットサブフレームにおける前記第１基地局および近接する第２基地局のアップリンク−ダウンリンクタイムスロット設定および／または伝送方向は異なる、段階と、
前記第１基地局により、前記少なくとも１つのターゲットサブフレームで第１参照信号を第１ユーザ機器ＵＥへ送信する段階であり、前記第１ＵＥは、前記第１基地局がサービス提供するＵＥである、段階と
を備える参照信号伝送方法。
【請求項２】
前記第１参照信号は、復調参照信号ＤＭＲＳと、サウンディング参照信号ＳＲＳと、第１の所定の参照信号とのうち少なくとも１つを含む、請求項１に記載の参照信号伝送方法。
【請求項３】
前記第１基地局により、前記少なくとも１つのターゲットサブフレームから測定サブフレームを決定する段階であり、前記測定サブフレームは、干渉測定が前記第１ＵＥと第２ＵＥとの間で実行されるサブフレームであり、前記第２ＵＥは前記第２基地局がサービス提供するＵＥであり、前記第１ＵＥに対する干渉を引き起こすＵＥである、段階をさらに備える、請求項１または２に記載の参照信号伝送方法。
【請求項４】
前記第１基地局により、ターゲット設定情報を前記第１ＵＥへ送信する段階であり、前記ターゲット設定情報は、前記測定サブフレーム、および／または前記第２ＵＥに関して意図された第１スケジューリング情報であり、前記第２基地局が送信した第１スケジューリング情報を示すのに用いられ、これにより、前記第２ＵＥが伝送した第１信号に対する測定を前記第１ＵＥが前記測定サブフレームで実行する、段階をさらに備える、請求項３に記載の参照信号伝送方法。
【請求項５】
前記第１基地局により、前記第１ＵＥが送信した干渉測定情報を受信する段階をさらに備える、請求項３または４に記載の参照信号伝送方法。
【請求項６】
第１ユーザ機器ＵＥにより、ターゲット周波数帯域で少なくとも１つのターゲットサブフレームを取得する段階であり、前記ターゲット周波数帯域は、アップリンクおよびダウンリンク伝送方向が設定可能である周波数帯域であり、前記少なくとも１つのターゲットサブフレームにおける第１基地局および近接する第２基地局のアップリンク−ダウンリンクタイムスロット設定および／または伝送方向は異なり、前記第１基地局は前記第１ＵＥが属する基地局である、段階と、
前記第１ＵＥにより、前記第１基地局が送信した第１参照信号を前記少なくとも１つのターゲットサブフレームで受信する段階と
を備える参照信号伝送方法。
【請求項７】
前記第１参照信号は、復調参照信号ＤＭＲＳと、サウンディング参照信号ＳＲＳと、第１の所定の参照信号とのうち少なくとも１つを含む、請求項６に記載の参照信号伝送方法。
【請求項８】
前記第１ＵＥにより、前記第１基地局が送信したターゲット設定情報を受信する段階であり、前記ターゲット設定情報は、測定サブフレーム、および／または第２ＵＥに関して意図された第１スケジューリング情報を示すのに用いられ、前記測定サブフレームは、干渉測定が前記第１ＵＥと前記第２ＵＥとの間で実行されるサブフレームであり、前記第２ＵＥは、前記第２基地局がサービス提供するＵＥであり、前記第１ＵＥに対する干渉を引き起こすＵＥであり、前記第１スケジューリング情報は、前記第２基地局により前記第１基地局へ送信される、段階をさらに備える、請求項６または７に記載の参照信号伝送方法。
【請求項９】
前記第１スケジューリング情報はアップリンクスケジューリング情報または第１の所定のスケジューリング情報である、請求項８に記載の参照信号伝送方法。
【請求項１０】
前記第１スケジューリング情報は、前記第２ＵＥのアイデンティティと、前記第２ＵＥが占有する物理リソースブロックＰＲＢのアイデンティティと、前記第２ＵＥの伝送電力とのうち少なくとも１つを含む、請求項８または９に記載の参照信号伝送方法。
【請求項１１】
前記第１ＵＥにより、前記第２ＵＥが伝送した第１信号に対する測定を前記測定サブフレームで実行して測定結果を取得する段階をさらに備える、請求項８から１０のいずれか一項に記載の参照信号伝送方法。
【請求項１２】
前記第１信号は、ＤＭＲＳと、ＳＲＳと、シーケンスコードと、プリアンブルと、第３の所定の参照信号とのうち少なくとも１つを含む、請求項１１に記載の参照信号伝送方法。
【請求項１３】
前記第１ＵＥにより、前記測定結果に基づき干渉測定情報を決定する段階をさらに備える、請求項１１または１２に記載の参照信号伝送方法。
【請求項１４】
前記第１ＵＥにより、前記干渉測定情報または前記測定結果を前記第１基地局へ送信する段階をさらに備える、請求項１１から１３のいずれか一項に記載の参照信号伝送方法。
【請求項１５】
前記第１ＵＥにより、前記干渉測定情報および／または前記第１スケジューリング情報に基づき前記第１基地局が決定した第２スケジューリング情報を受信する段階をさらに備える、請求項１３または１４に記載の参照信号伝送方法。
【国際調査報告】
2019524023.tif 000021
2019524023.tif 000022
2019524023.tif 000023
2019524023.tif 000024
2019524023.tif 000025
2019524023.tif 000026
2019524023.tif 000027
2019524023.tif 000028